(57)【要約】【課題】人（動物、ホスト）と、共存、共生出来ない（法定伝染症を含む、）疾病症をして、之れらに集る、多くの（悪玉性）細菌、ヴィールス等では、人（動物）等が自律神経で保って持つ、平均体温３６．５℃以下となる時に、（同時）感染している事実が本発明案件で付き留められる時、恒設平均体温を３６．５℃以上に上昇させ続ける事が出来れば、感染病症は、自然治癒する事が分った。――――課題が生じた。【解決手段】人（動物、ホスト）に、集り着いた（悪玉性）細菌、ヴィールス等を退治するのに為し、（法定伝染症を含む、）感染疾病症者の使用する物品等は、常に乾燥させて置き、一度は、８０℃から、１００℃の温（湯）熱に触れさせて後、常に、人体（温）平均３６．５℃を上廻る、（４０℃〜４３℃理想とする、）温熱や、温湯を長時間、人（動物）体に投与し続けた場合、之れらは、自然治癒する、器具、道具、病室等を提供する。【選択図】図１
2016047233.tif 000002
【特許請求の範囲】
【請求項１】
人（動物）体の体内（若しくは、口内、）に集る、黴菌（悪玉菌）ヴィールス等では、乾燥に弱く、大概３８℃以上、１００℃以内（外）の熱（湯）に触れ続けると、死滅し続ける効果が発見された際、殺菌、（殺ヴィールス）効果を為し、（表わし、）低温火傷を起こしづらい、（湯）温度、調設器範囲として、８０℃、６０℃、４３℃をする、３段階温度（差）調整ダイヤル（若しくは、ボタン）を湯沸しポットに取り付け、之の、ダイヤル（ボタン）を、その様に操作すると、低温殺菌（消毒）できる、８０℃、６０℃、４３℃のそれぞれの、希望する、設定温湯（値）に切り替わる装置を発明し、これを、この様に、操作すると、之の発明される、温度湯をその様に、設置、設定出来る様にし、サーモセンサーや温度計、他を、（之のポットに、）備え付け、人（動物）が日々、歯磨きをした、後に、この（発明湯）を使い、ウガイし続けると、（歯槽濃漏症を含む、）人（動物）体の体内（若しくは、口内）に集る黴菌を死滅させる事が出来、茶、他、漢方薬の味やエキスを以っも良く抽出する事の出来易い、この温湯（熱）をキープ出来て、消費者にいつでも、之れを提供出来、電気コード、若しくは、バッテリーから電源を取り、（携帯にも、）用いる事の出来る、「低温殺菌ウガイ湯入れポット（Ｔ．６７７」
【請求項２】
この様に、本発明（発見）される、温湯をポット（Ｔ．６７７）から汲み出し、人、（動物）の歯磨後に口内を漱ぐ事を便利にすべく、プラスチック製網状で造る、「歯磨専用コップ収納ポケット（Ｔ．６８０）」が発明され、この中の、「歯磨き専用コップ」の出し入れが自在に出来て、この「ポケット（Ｔ．６８０）」の側部に、磁石、若しくは、凸器物を付けさせる他、対象となり、貼り付け側となる、「ポット（Ｔ．６８１）」の側面側の一部には、ステンレス（鉄）製にする他、凹器物を付けて、連結したり、取り外しの出来、常に、歯磨き用具の乾燥を良くさせ、歯磨きを便利にするポット。
【請求項３】
この様に、本発明、（発見）され、主として、殺菌を目的とする、温湯をポット（Ｔ．６７７）から汲み出し、人（動物）の歯磨きに為する、「歯ブラシ（Ｔ．６６３）」の出し入れを便利にし、プラスチック製、網状で造る、「歯ブラシ専用、収納ポケット（Ｔ．６７９）」が発明され、この中に、「歯ブラシ（Ｔ．６６３）」を入れて、之れらの乾燥（等）が、自在に出来、「ポケット（Ｔ．６８１）」の側部には、磁石、若しくは、凸器物を付けさせる他、対象となり、貼り付け側となる、「ポット（Ｔ．６８１）」の側面側の一部には、ステンレス（鉄）製にする他、凹器物を取り付け、「歯ブラシ専用、収納ポケットＴ．６８２」を連結したり、取り外しの出来る、歯磨用品に兼備えさせ、歯磨を便利にするポット。
【請求項４】
この様に、本発明（発見）される、主として、殺菌を目的とする、温湯をポット（Ｔ．６７７）から汲み出し、人（動物）の歯磨きに為する、「歯磨チューブ」の出し入れを便利にし、プラスチック製、網状で造る、「歯磨チューブ」を入れる、専用の「歯磨チューブ入れ収納ポケット（Ｔ．６８３）」が発明され、この中に、「歯磨チューブ」を入れて、之れ等の乾燥が自在に出来る、「ポケット（Ｔ．６８１）」の側部には、磁石、若しくは、凸器物を付けさせる他、対象となり、貼り付け側となる、「ポット（Ｔ．６８１）」の側面側の一部には、ステンレス（鉄）製にする他、凹器物を取り付け、「歯磨チューブ入れ収納ポケット（Ｔ．６８３）を連結したり、取り外しの出来る、歯磨用品に兼ね備えさせ、歯磨を便利にするポット。
【請求項５】
最初の５分間は、８０℃の温（熱）湯を提供（供給）できて、その５分後には、最低基低温度を６０℃から、若しくは、４０℃未満迄、引き下げる事の出来、人が使用して（後）取り外した義歯や、歯ブラシを、この様にして、つくられる、温湯容器の中に、漬け置くと、この温湯では、殺菌、消毒をする事の出来る他、（歯）ブラシの根元に着く垢は、歯周病（感染）を構成する一因となす際、（経費となるべく、）現在市販されている、「入れ歯安定剤」や、「水溶液剤」に着けたり、水洗いでは、なかなか良く洗い落す事が出来ず他、一晩（８時間から１０時間）以上の時間を費いやさずに済み、（本案件、温湯漬、汚れ落し効果による、）汚れを、５分から、１０分位で、洗い落す事の出来る、「義歯、歯ブラシ温温殺菌消毒洗浄湯沸し器（Ｔ．６８５）
【請求項６】
人（動物）体の体内に集る、（法定）黴菌（悪玉菌）ヴィールスは、大概３６．５℃以上、１００℃以内（外）の温（湯）熱に、（長い時間に、）触れ続けると、胞子を残し、死滅し続ける、効果が発見され、之れは、殺菌（殺ヴィールス）効果を為し、（表わ）す際、いずれも（人）体温の３６．５℃以上を保って、之れを下廻らない様に、各室内の内側に、温度計と、空調設備を設ける、癒養所を造るに為する、三連棟から、五連棟を目安として、之れらを造り、全て隣り合わせになっている、各部室の壁は、二重にして造り、その壁の間隙には、氷点（下）以下の空調（冷気）を、上、（若しくは、下）から、吹き流し、各室内（の壁の間隙）を冷気で冷せる様にして造り、之れ等を、細い廊下や、一つ一つづつのドアで隔てて、連絡（連結）路にして、造って繋ぎ、（之れらを利用する。）治療を目的とする、癒養者には、湯中しない１０分間から１５分間をして、４０℃以上、４３℃未満を目処とする、肩迄漬かれる温湯（浴槽）や、ＴＶ、ビデオ、サウナ、温度計付きの、浴室内を、整備した、Ａ棟室と呼ばれる、之れが提供でき、４０℃以上、４３℃未満（若しくは、サウナ、８０℃〜１００℃による、）のＡ棟室内をする、Ａ棟室内で（入浴し、）体温を高め、本発明（案件）による、体内殺菌浴（湯）治療施術法を受け続ける者は、温中しない様に、途中、途中、（綿入れを着込む事を理想とする、）廊下、若しくは、ドア一枚隔てた、「Ａ棟室」と同様に、平均（人、気管支）恒設体温を３６．５℃以上にして、空調温度調整設備が出来る、休憩室を設備し、「Ｂ棟室」と呼び、この「Ｂ棟室」と呼ばれる、休憩室には、ＴＶ、ビデオ、本棚、雑誌、ゲーム（道具）コタツ、休憩用ベッド、温度計等を設けて、休息が充分にとれる、部室として、提供されるＢ棟室では、充分に休憩した、本疾病治療患者（様）は、体調を整えた後、ドア（若しくは、廊下）一枚経てた、Ｂ棟室から、Ａ棟室へと、（体調に合わせて、何度も何度も、）体温を高める為、戻っては、出入りをし続け、疲労を呈し、就寝しようと思われる際には、同様の事として、ドア（若しくは廊下）一枚を隔てた、「Ｃ棟室」を呼称する、平均恒設温度を同様に、３６．５℃以上の、空調（温度）調整設備が出来る、就寝室を設け、ベッド、ＴＶ、ビデオ、クローゼットの付いた、各、「Ａ棟室」、「Ｂ棟室」、「Ｃ棟室」等を、一連に連られさせて、一つの病室を造り、人（動物）体の体内に集る、（法定）黴菌（ヴィールス）を退治させ、自然治癒させる機能を持つ、「（法定伝染）黴菌、ヴィールス退治治癒室（Ｔ．６９０）」
【発明の詳細な説明】
【技術分野】
【０００１】筆者による、新代科学が提唱される、―――人類が体毛を失う、裸の猿へと、進化した迷は、意図も簡単に解説された。シナントロプスペキネンシス（北京原人）を境いに、洪積世末期の地球上の特殊な気候条件を生き延びる、火と石器を用いるべく、人類は、脳と（支）神経を急速に巨大化させた事は、膨大な（シナプス）電気の発生供給源（注、人間の皮膚は、太陽光発電となっている。）の迅速なる、必要性に追ばる、急速なる、裸体化現象2016047233.tif 000003
定理、定義の元に、地上に、多発発生した際、人類の裸体には、完成させる、平均する、３６．５℃の体温の恒温を最適とし、悪玉性黴菌の一切を寄せ付けない、温血動物となる、体温域を確立して、その記憶を遺伝子に組み込んで、完成した際、「人体病理学」を援用する、人の恒設（恒温）体温を、平均３６．５℃にして、保持する為には、「裸のサル」状態では、不可能に近かった時、人類は、家畜を飼い、獣肉や、毛皮、毛糸等を手に入れ、衣類、毛布等にし、自身の体温を平均して、３６．５℃を保ち続ける事に成功し、主食は、暫くの間、栗の実を乾燥させた物を焼いて喰う、ダンゴ状の物が、暫く続いて後、（長い）冬期間に合わせ、牛馬等の餌にする他、寝床を準備する為、人類は、米や、2016047233.tif 000004
する、之れらの穂は、脱穀すれば、食品となる事に、（すぐに、）気が付き、人類の主食は、栗の実から、米、麦等へと変化してゆくものとなり、人は、藁の中で寝る事を覚えてゆく順序で、人類の平均寿命は、衣食住の整備をよくする事で、急速に延び始めるものとなった。論説は、「細菌学」に戻される所、「裸のサル」としての進化を遂げた、人類にとって、一番最初に衣類が必要となる原因は、人間の持つ、共通の体温は、悪玉細菌（ビールス）等を撃退させるのに（最）適温度である事が発見される、人の恒設体温が、多くして、疲労や、衣服の着用状態、布団の掛け具合が悪く、恒設体温が、３５℃以下の（長き）時間が続く際、悪玉菌（胞子）の増殖（最）適温度地帯となり、体内に、悪玉菌（他、ヴィールス）が、有害分泌液を吐出し併、（急）増殖する際、人体内には、感冒に診られる軽症のものから、法定伝染菌、（ヴィールス）に診られる重症に至るもの迄の増殖を許した場合、人体は、背筋に悪寒を走らせたり、咳、くしゃみ、下痢、腹痛を引き起こし、３７℃から４３℃近く迄の恒設体温を、引き上げる、細菌、ビールスが死滅する体温状態に着眼されたい。筆者が言っているのは、本件は、環境温度の１℃〜６℃迄に上昇する温度の違いの事を言っているものではなく、人体の自律神経が保っている、平均恒設温度が脳（自律神経）から、の、命令（若しくは、指令）により、体内での細菌、ヴィールスの（急）増殖に合わせて、３６．５℃から、４３℃を限界にして、体温の調整が成されているものであり、一時でも、体温を３６．５℃以下にしてはいけない事が必須条件とされる中、筆者はある法定伝染病2016047233.tif 000005
植物の様な性質状の物であり、ヴィールス等とは、ホヤや、磯巾着の様に、根を持つ植物的特徴を持ち併、反面、躰の一部分は、触手等に見られる、動物的特徴を持っているものであると、説明し易く、そして、これらに喰い付いてゆく2016047233.tif 000006
体温の中でのみ共存、共生している時、本論説で主張される、体温が、３５℃以下に下がる時を見計い、（病理学、）悪玉菌をする、侵入者が、この温度が長く続く時間帯に、（急）増殖する際、白血球の異常増殖を、自律神経が感知（医学解剖生理学）すると、人間の体温を３７℃から、４３℃を限度にする迄、之れを一気に上昇する際、悪玉菌は目を見張る勢いで死滅し続ける事を得てする、筆者は、大型の冷蔵庫であり、氷点下０℃以下に出来る、ビルの中に二つの部室を持つ、小屋を造り、ベッドとコタツを置く部室と、湯温を４０℃以上、４３℃を限界とする湯舟の中に湯を入れ、これらを設置する部室を作り、実験では、市販されている「湯花、鉱物質」を入れた風呂の中に、（肺）結核患者（様）に対して、本件、「湯治療法の定理」に従って、何度も、何度も、繰り返しては入り、充分な休養を必要とする、湯上り（湯冷めを厳禁とする、）には、衣類を着装し、ドテラ（綿入）を着込み、（看護師を伴い。）体温計を必携帯する、体温を絶対に、３６．５℃以下に落とさぬ様させ、看護する、コタツ、若しくは、ベッドの中に入っては、被労しない様、充分に休息する、体調管理の元、この湯舟の中に繰り返し、入っては休息を取りを、繰り返して続行する、被実験者が退屈しない様に、テレビ、ラジオ、ビデオ、雑誌、新聞を持ち込んでもらい、室内温度は、３６．０Ｃ以下にならない様にして治療すると、一ヶ月もかけないで、結核菌病を始めとする、大概の法定伝染病菌は、死滅するものとなる中、――――これだけ、詳細されて、大仕掛けの実験をしなければならなかった理由は、人（間）の顔（特に額）は、外気温感知センサーになっている為、この（実験）治療は、菌類繁殖の活発となる、夏期には（実力）行使出来ない他、この（実験）治療を夏期日に行使すると、人の体温は、必ず異常上昇する為、苦痛を伴うものとなり、平均体温３６．５℃を維持する事は、（絶対的）不可能となるものであり、サウナバスに見られる様に、この治療を行う者は、治療途中に冷水に入り、体温を３５℃以下に急速に落す様な事をした場合の体内細菌は、異常（急）繁殖するものとなり、致命的危険に晒されるので、これらの治療行為は、日本の古くからの伝統に診られる様に、湯治治療の定理や定義に従って、冬期間にのみ限定にして、行わなければならない厳重注意がなされた。「全世界の人口の内、１／３は、結核患者である。」という位迄、多い（肺）結核患者に対して、現在では、抗生物質の投与治療が主流となる現代においても、日本に古くから有る、「湯治治療による自然治癒療法」による、発明、発見が、本件、フリーテキストにより報告される程迄、全世界から、結核感染症患者を始めとする、本件論説に登場する、（法定伝染）菌他黴菌の（病理）伝染する理由（定理）は、人体の自律神経にして、恒設平均体温が、３６℃以下に降下する者の体内に発生している事が突き留められ、極端な例では、冬期間、気管支（炎）症を引き起こす、感冒や、インフルエンザ（ヴィ）をして、夏期中では、（主として、海外先で飲む生水）冷い井戸水等を飲み続け、胃腸内体温を３６℃以下にする時、ピロル菌や、コレラ菌の増殖を許してしまう旨の事が、定理で示される際、人体（自律神経）が示す、恒設体温を１℃でも上昇させる際には、驚く程の勢いで、これらに集る、細菌、ヴィールス等が死滅し続けるのが確認（医学、解剖生理学援用）された時、法定伝染菌、（ビールス）等の殆ど全ては、日本に古来から言い伝えられて、（本説で詳細されて、厳重注意のある。）湯治療法で、自然治癒する事が分り、菌感染（疾患）者には、絶大な効果を表わすものとなるが、現在、治療方法が確定されていない、エイズ他、ヴィールス性、感染（疾患）者（様）に、試験して診ていただいた所、効果があった。との報告をいただいています。又、人体（動物体）と、共存できない、悪玉菌は、１℃の違いで、死活状態に遭い、乾燥にメッキリ強い胞子を残して、急増殖、急死滅する、大変デリケートな者である事を理解されたい。（＊注、この様な性質を表わす、善玉菌、悪玉菌は、発明用語。）
【背景技術】
【０００２】特願、２０１４−３３４０３号  特願、２０１４−１３５０７６号、特願、２０１４−１４０８９５号、特願、２０１４−１４５４４２号、参照されたし。
【先行技術文献】
【０００３】特願、２０１４−３３４０３号  特願、２０１４−１３５０７６号、特願、２０１４−１４０８９５号、特願、２０１４−１４５４４２号、参照されたし。
【発明の概要】
【発明が解決しようとする課題】
【０００４】  多くの友人達の中の内に、歯のライ病と呼ばれる、「歯層膿漏症」の人々が居て、近くで話しをすると、歯槽膿漏独特の、あの、我慢出来ない口臭（悪臭）がした。これらの人々は、コドモの頃から、歯磨き習慣があるのに、何故、「歯槽膿漏症」になるものなのか！  考えた事があり、これらの人々に同情したものであったが、【０００５】  根気良く、歯科病院へ、行い続ければ、現代医（歯）学で、治療は出来たものの、之れに、行い続ける事が出来ずに、放って置いて、病状が悪化した場合には、血膿が出たり、重度症になると、歯は全て、抜け落ち、歯茎や、歯槽骨にも、大きな、ダメージや、捐傷を受けるものとなった。【０００６】  日本人の内、大概、６０％の人々が、「歯槽膿漏」以外にも、何らかの問題を抱えている。と、言われる中、歯周病（症）は、以外に多い中、どうしたならば、特に、「歯槽膿漏症」に、重点を置き、之れの「感染防止と予防が出来るか！」について考えた事があった。―――課題が生じた。
【課題を解決する為の手段】
【０００７】  筆者は、本件、歯周病源菌の中で、最も、性質（たち）の悪い。と、される、歯槽膿漏（菌）の感染ルートから探し始たが、以外にも、（特に、）スルメや、干物他の中に、同一性の病源菌がいる事が分ったが、「マコ菌」と命名するものの、一様に、「スルメや、干物の表面に、火を通せば問題は、無い。」と、断言して、「マコ菌」の話しを終わりにした。課題に別問題が生じさせない為であったが、それよりも、
【０００８】  これらの物を生で食べても、「マコ菌」を歯槽まわりで、発生（感染）させない様にする事の方法の探究の方が、本件、課題解決の重要点となったからであり、―――現代、ＷＨＯ、世界保健機関で、（発見）認定される、性質（たち）の悪い、悪玉菌、（ヴィールス）をして、これらの（親）菌の大概、殆どのものは、８０℃〜１００℃の熱処理を加えると、死滅する事が本件課題を解決する為の手段の考証論理となる事を踏まえ、
【発明の効果】
【０００９】  本件に於いて、話しが手っ取り早く進められる為に、例えが多く使われる所、昔から、スルメや、干物等他を生で食べた後、８０℃の温度（湯）で煎れた茶を啜り、歯と歯茎の間を通し、ブクブクとウガイをしながら茶を飲むと、歯周まわりに、着床した菌を一気に死滅させる事が出来て、
【００１０】  茶を飲む時、大概、（体温に近い、）４０℃〜４３℃位迄にも、半減された、茶の湯が、胃の中に入っていく迄の間に、人（動物）の食道に添ってある、気管支が温められる時、気管支に取り付く、感冒菌や、インフルエンザウィルスを死滅させる事が出来る事から、（卵酒等も飲むと、同じ原理となる。）「感冒を引いた時には、（温湯）茶を飲むと、効果がある。」と、「新代（医）科学で言われる由以であったが、茶の中に含まれる、Ｖｃや、カテキン、タンニン等も、それぞれの効果は有するものの、―――そもそも、「茶」自体は、元来、「漢方薬」であり、漢方薬の煎じ方は、８０℃前後の温湯で煎じる時、その成分が良く抽出できるものであった。
【図面の簡単な説明】
【００１１】
【図１】人（動物）体への、歯周病源菌を殺菌できる、温湯値を、４０℃（幼児用）から、４３℃（成人向け）くらい迄の温湯を設定、設置できる、「ダイヤル」、「ボタン」、他、湯温感値、サーモセンサー（温度計）付きの一搬消費者（向け）で提供できる、ポットが発明された図を示す物であったが、（家庭用、外出用に用り易い様にして、之れを造り、）このポット湯を用いて、歯磨きを更に、便利にする為、ポットの側面側の（小面）部分をステンレス（鉄）製にして造るか、凹器物を付けるかにし、反面、之れに、吸い付いたり、離れたりし易い様にするべく、歯ブラシや、歯磨きチューブを収納できる網状の歯ブラシや、チューブ入れ容器を造り、（この中に、歯ブラシ、若しくは、チューブ等の乾燥が自在となる様にし、）この側面に、磁石や凸器物を付けて、本発明される、ポットへの接合や、離脱を便利にする、歯磨道具、附属品収納ポケット付き、ポットを示す図となった。
【００１２】
【図２】  筆者（研究者）が独持に研究し続け、調査する（統計）中で、歯の一本も無い状態で、義歯を造る人々の中で、断トツに多かったのは、歯槽骨に迄、ダメージを受ける、歯槽膿漏症者で歯を失った人々が多い事が分り、歯を全部抜き終わり、之を失った後にも、歯茎に歯周病原菌の（悪影響の）残る者もあり、こうなると、根気良く、歯科病院に行い続けないでいなかった者は、近代（歯科）医療の進歩で進むインプラント（義歯殖え込み）技術さへ、行使出来ず、難しくなる事も分った。時、
【００１３】  この様な人々がして、日々、使われる、歯ブラシや（ブラシの根元に、歯磨粉の垢が付く、この中が悪玉菌の巣窟となる、）入れ歯（の留め金器具部分等を含む、）部分に、食べカス等の垢が（すぐに、）取り付き易くなる、悪巡環が続いた際、の昔話しとして、適当な、細菌（消毒）方法が無かった時代の人々は、どの様にしていたか、読者は、御存知であったであろうか！  ―――それは、（毎）食後に、少し、大き目の蓋付の茶碗の中に、（８０℃の温湯では、高温すぎる、）大概、４３℃以上、６０℃位に迄、冷ました、お茶を入れ、その中に、「入れ歯」を入れ、【００１４】  １５分程、経ったら、この様にして、既に、殺菌、消毒の済んでいる、「入れ歯」を茶碗の中から取り出して、口の中に装填して後に、残ったお茶で、口の中をウガイしてから、その、お茶を飲むと、効果的な、（口内）殺菌が出来るものとなっていた際、このやり方は、卓袱台（ちゃぶだい）の下に、こっそりと、これに示された茶碗を隠して、しなければならない、ルールがあった。しかし併、更に例えが続けられると、読者には、話しが分り易くなった。【００１５】  時代は、戦国時代に迄も遡らなくとも、第二次世界大戦当時の、旧日本軍の麻酔も無くして為される、外科手術の逸話の中にでも、多く観られるが、現代医科学では、未だ報告の無い（８０℃〜１００℃煮沸湯で、感染性細菌は、死滅する報告を除く。）日本人が好む、風呂の温度３８℃以上、４３℃未満の温湯にも、（１５分以上湯に漬かる事に対して、）殺菌、消毒効果のある事が、「新代医科学」で、発見報告されたのには、【００１６】  医薬品の豊富にない、昔しの戦場で、（敵）銃弾を受けた、被害者の体内から、銃弾を取り除く手術をする際、メスを火で炙るのは、常識であったが、傷口に、３８℃以上、４０℃未満の温湯を掛けて、殺菌、若しくは、消毒作用がある事は、あまり知られておらず、オペ終了後にも、やはり、３８℃以上、４０℃未満の温湯を掛けて、殺菌、若しくは、消毒した後、包帯を巻くと、傷の治りが良く、（但し、傷口に極度な、発熱のある時の、温湯、殺菌、消毒は、望ましくない。）尚、【００１７】
2016047233.tif 000007
稽古中、手足の擦り傷が絶えなかったものであっても、傷口を、３８℃以上、４０℃未満の奇麗な温湯に、１５分間程、（簡単に言えば、入浴する事を含める。）漬けておいて後、バンソコウを貼っておけば、大概、一日で、傷口は、自然治癒した。【００１８】  それ故、これだけ多くの、類例を観れば、３８℃以上、４０℃（若しくは、６０℃）未満の温湯にも、相当な、殺菌（消毒）効果のある事が理解される際、（但し、これらの実験では、平均する、３５℃以下の長く続いて、悪玉性細菌の発生し易い時間帯は、絶対に発生させては、いけない事が厳重注意される。）この様に、電力源を、家庭用電源からとるものから、電力源を、携帯用バッテリーから、とる物を得て、【００１９】  実際、この様に、発明される、電熱器を、底（床）部に設け、８０℃、６０℃、４３℃の３段階の切り替え装置付きの、「義歯」を温湯湯に、夜通し漬け置きさせなくとも、除菌、消毒させる、「義歯温湯殺菌消毒湯沸し器（Ｔ．６８９）」が発明された図を示したが、６０℃、若しくは、８０℃未満の温湯に、一晩中をせず、（実験では、１時間から２時位）漬け置くと、その様に、「義歯」は、殺菌、消毒される為、この発明品一つ有れば、「義歯」殺菌、消毒市販剤（品）等を以後、一切、買わなくても済む程の経済品にもなる物となったが、日々使用する、歯ブラシも、この中に漬け置くと、殺菌、消毒、感染（症）防止に役立った。【００２０】  本発明品の実験段階に於いては、「義歯」等を構成して造る、素材品の温（熱）湯による、（被労、若しくは、）捐傷を考慮しても、（低温）殺菌、消毒出来る、基低温度４３℃以上、８０℃未満の温度の温湯を用いたが、（いずれ場合も、）殺菌、消毒の強化を計る為、本発明、「義歯、温湯殺菌消毒器具（Ｔ．６８９）」の中に、義歯を入れ、最初の５分間は、８０℃の温度による、温（熱）湯を提供（若しくは、供給）できて、５分後には、この器具に取り付けられている、自動温度調設、サーモセンサー器が働き、この様にして発明される、（最低）温（熱）湯を、６０℃、若しくは、４３℃未満迄下げる事の出来る、「義歯温湯殺菌消毒湯沸し器（Ｔ．６８５）が発明された図を表わす。【００２１】
【図３】
2016047233.tif 000008
【００２２】  浴室内温度を、平均、３８℃以上に、必ず、保温出来る、エアコン空調設備と、浴室内温度や、休憩室内温度を（必ず、）３６．５℃2016047233.tif 000009
悪質な、呼吸器系に取り付く黴菌（ヴィールス）等では、極端な例を使うと、鳥（等）の持つ気管支温度の、平均温度が３５℃の際、仲間同志で感染し合い、人（動物）等が持って呼吸する、気管支内の体温が湿潤する、平均３５℃以内状態で、鳥と、人との間に、同時に感染している事が、「新代医科学（統計観測）で発見され、詳細されるには、北極シベリア下し（若しくは、南極）の寒波に於ける、温寒のめまぐるしく（デタラメに、）作用する時に際して、氷土に埋もれていた新種の細菌（ヴィー2016047233.tif 000010
【００２３】  更に、分り易い例えを使うと、ガソリンを湛えた水盤の近く、５０ｃｍ〜１ｍ以内の所で、ろうそくに火を付けると、いつしか、水盤の中に入っていたガソリンには、引火して、燃え出しているのに、似る、（新種の者を含める）性質（たち）の悪い、黴菌、ヴィールスの感染方法は、（家畜を含む）鳥を例に揚げる、鳥の気管支内温度が、平均３５．５℃の時と、人（動物）の持つ気管支（体）内、平均３５．５℃の体温状態の長く続く時に、ほぼ（同時）感染している、感染症のメカニズムが解明された際には、【００２４】  新代医科学、本（発明）案件で提唱される様に、人（動物）の持つ気管支系統の、（体熱）温度を、平均３６．５℃以下に降下させる、長き時間を生じさせない様にするべく、顔にマスクを着ける他、背中にカイロ（Ｔ．      号参照）を、着けると、特効性に生じられる、改腹力が得られる事となった。―――それ故、これらの定理から裏付けされる事で、注意が必要となる事では、夜る、就眠中、人（動物）が呼吸する、気管支内（体）温が、平均３５．５℃の長く続く時間帯にある時には、布団の中に入っていても、感冒をひく、（朝起きると、３７℃以上の発熱がある。）等の考証論理で、裏付けされた。しかし併、【００２５】  本件、湯治自然治癒、癒法は、多くある、（医学）古文書の中に、書き綴られて、残された、古人をして、現代迄繋がる、性質の悪い、感染症患者を為（試験）する、体温を平均３６．５℃に保たたせ併、４０℃以上４３℃未満の温湯への出入りを繰り返し続けると、悪玉性徴菌（ヴィールス）は、死滅させる事の出来る成功例に示されるものばかりであるが、その実際例は、近場に温泉のある、家の主や、その知人他、小判を唸る程持っている金持ち達が為した、温湯癒法の自然治癒の成功例ばかりである中、【００２６】
2016047233.tif 000011
では無い者がして、日本国家がまだ貧しかった（江戸時代の）ちょうさん寸前の頃の、名主、木本藤五郎のコドモ、兄、長松（ちょんまつ）１２才と、妹（うめ）３才がする兄妹の内（青空文庫、ベロ出しちょんま、斉藤隆介作）の話しを引用する、妹、ウメの両手に霜焼けが出来、それが崩れ始めた。と記される原因は、平均体温３６．５℃を上廻る奇麗な温湯を使用すれば、殺菌効果がある為、之れは、自然治癒してゆくものとなっていたが、（温湯自然癒法を知らないコドモ達の事故）【００２７】  兄の長松は、多分、（人）体温を下廻わる、平均温度３５．５℃未満の吸み置きした桶の湯の中に、妹、うめの手を浸し続けた為に、きれ（包帯）を巻いた霜焼けは、ひどくなる一方の元に、傷口は、濃だらけとなり、そのぬるま温の中で、泣きそうになり併も、長松は、妹、うめの両手に巻かれた濃だらけのキレ（包帯）を引っ張がして取り除いては、油（多分、馬油と思う。）を塗り続けた……伝々、と言う記事がある程迄に、その様に、温湯（治）癒法を用いる者は、必ず平均３６．５℃（体温）以上の温度湯を使わなければならなかった。――それ故、【００２８】  追、一昔（インフレ時代）前の、日本国家でもまだ貧しかった頃には、銭湯が多くあり、各家庭に風呂のある家は、少なかった頃、その風呂に家族全員が入って後、その残り湯を捨てずに、（濾過、若しくは、巡環させる、）一時でも、自然冷却させる、その、平均温度が３５．５℃以下の長い時間帯が発生する際には、（特に、）掃除のしづらい、湯沸し通路には、悪玉菌（ヴィールス）が根を下し、熱や乾燥に、メッキリ強い胞子を飛ばし続ける、連絡路となる事は、よく、周知されたく、もはや、こうなると！この浴槽の中に入っている湯は、いくら取り替えても、清潔ではない物となる為、この理を得る為、（特に営業者は、）終期的に、塩素（他）等で、常に殺菌、消毒される事が勧められた。【００２９】  一昔前には、治癒しづらいと、考えられていた（之れら隔離を必要とする、）疾病症患者（様）が、之れ等の疾病症治癒に臨もうとする際、理想とする、病院（小屋、若しくは、個室）等をする、建造物の造り方を、図３（透明図）に観られて示される際には、（隔離室の、）外壁と、内壁とは、二重の壁構造で、構成する、内側、及び外側の壁は、ガラス（鏡）若しくは、金属（ステンレス）等による、（冷房）を各室に伝わり易い、素材品を用いて造り、外壁と、内壁の間（間隙）には、氷点（以）下（温度）の、冷気を下部位から、上部位へと、（矢印の方向へ、誘導して、）吹き上げさせる。之の様にして、（隔離室の、）壁自体を、０℃（以下）になる物として、（故意にして、）造り、入浴室をＡ室と呼び、患者（様）が退屈しない様に、ＴＶ、ビデオや、サウナ装置を備え付けた図を示し、室内温度は、３６．５℃以上の空調設備を確保する事を理想とし、【００３０】  温湯（浴室）から出たら、ドア１つ設けて、経てた隣室には、平均温度３６．５℃を理想として、室内温度を空調出来る、休憩室をＢ室と呼び、休憩出来るＢ室内に入って、休息する患者（様）の体温を絶対に、降下させない様に配慮すべく、必要なら、（綿入、ダウンジャケット、ヤッケ、若しくは、それら、）防寒着を着させ、用意される、コ���ツの中に入ってもらい、患者（様）が退屈しない様に、新聞、雑誌や、マージャン、将棋、碁他、ゲーム他等を取り備えたり、書籍（箱）や、休憩、出来る、布団付ベッドが示される図となるが、Ｂ室内では、うたた寝を厳禁とする、防寒着等の、配慮が必要とする図を示し、【００３１】  ＴＶ、ビデオや、鏡、クローゼットを設けた、就寝（ベッド付）専用の部室をＣ室と呼び、ドア等を設けて、経てた隣室には、平均室内温度を３６．５℃以上を理想として、室内温度を空調できる寝室をして、（図示されては、いないが、寝台車を、イメージされたく、）Ａ棟室、Ｂ棟室、Ｃ棟室等を、細い廊下や、ドアで数珠繋ぎで連結（連絡）出来る、病院、（小屋、若しくは、個室）等の造り方が説明される他、【００３２】  休憩室（Ｂ室）と、寝室（Ｃ室）を分離する、内壁には、断熱素材等を用いて、造る事を理想とし、之の様にして造られる病院（小屋、若しくは、個室）の上に覆せる、蓋（状）板は、やはり、（二重の、）耐湿、断熱素材を用いて、上から、之に被せて、壁間隙の間に下から上へと発射される、冷気を逃げない様に、蓋をする事を示す図となる。他、壁間隙（床）下、四方には、氷点下（以下）の冷気を送入（送気）させる事の出来るパイプが埋め込まれている事を示す図となる。発明を実施する為の形態【００３３】  しかし併、この様に、筆者が唱じる、新代（医）科学上にある、（法定）伝染菌、（ウィルス）の、病理学（感染）症の、殆ど全ては、人（動物）体の恒設体温の、３５℃を下廻わる、長き時間帯や、被労する、時間帯に、多く発生している事が突き留められる時、歯の癩病と呼ばれる、「歯槽膿漏菌」は、スルメ、干物、他等に取り付き易い物であった時、その表面をしっかり、火を通せば、特に問題の無い物となったが、（蓄膿症等他、花粉症等）で、鼻が悪く、唾液の出にくくなる、就寝中、口を開け、口呼吸している、人々の口内温度が、平均する体温が３６．５℃を保てず、（口内）体温の低い、（低体温症）の人々に多く見られ、歯と、歯茎のみ、湿潤し、口内が（カラカラに乾く）様な状態を見計らい、之の歯槽膿漏病原菌は、悪質な、歯周病原菌の（一つとして、）口内異常繁殖する、因果関係が見つけられた際、この様に、【００３４】  日々、人（動物）が、歯磨きをして後に、ウガイ湯にする湯温を、８０℃前後にする、（注、１００℃の温湯は、人の口で啜れない。）ものにして、歯磨きをすれば、「歯槽膿漏症」を始めとする、大概の歯周病原菌のあらゆるもの、殆ど全てを死滅させる事が、速効的に出来る現象を読者は、診る事が出来たに違いなかったが、（注、読者は、真似をしては、いけなかった。）口内に、火傷症が生じる怖れが生じたからであった。それ故、【００３５】  気長にはなるが、人が日々歯磨きをして、「歯周病原菌」を確実に、殺菌できて、口内火傷症を起こさせない、温湯を、実験段回では、人の平均体温位、４０℃（幼児用）から、大人の４３℃位迄の温度を限界（限度）に設定し、電力で電源を取る、この様に、サーモスタット等を使った、サーモセンサー（温度計）付、「殺菌、歯磨、ウガイ湯キープポット（Ｔ．６７９）が発明される時、【００３６】  家庭用や、外出用に用いり易い様にして、歯磨きを更に便利にする為���このポットの側面の、（小面）部分をステンレス（鉄）製にして造るか、凹凸物を付けるか、にして造る反面、乾燥がよく出来る、「歯ブラシ」や、「歯磨きチューブ」を収納出し入れが出来るプラスチック製、網型の「歯ブラシ」や、「チューブ入れ容器」を造り、この中に、「歯ブラシ」若しくは、チューブの出し入れが自在になる様にし、【００３７】  家庭用、洗面、歯磨きを便利にする、「歯磨専用コップ収納ポケット（Ｔ．６８０）や、「磁石付歯ブラシ収納ケース（Ｔ．６７９）」、「磁石付歯磨きチューブ収納ケース（Ｔ．６８３）」側の側面に、磁石や、凹凸物を取り付けて、「ポット、（Ｔ．６８１）」への吸い付け、外しの出来る、歯磨道具附属品の取り付け外しが容易となる他、【００３８】  外出先に、持ち出し運びする、（携帯用）ポットでは、電池から電源が取れる他、「携帯用、低温殺菌ウガイ湯ポット、（Ｔ．６７８）が、発明される時、このポットの側面には、磁石は用られず、専ら、凹凸器具が用いられて、造られる時、之のポットの携帯時には、外力が加わっても、「ポット（Ｔ．６７８）」の附属する部材品がバラバラに、分解しないで済んだ。
【実施例】
【００３９】  お医者様でも、草津の湯でも、治せないのは、恋病♪」という歌を読者は、御存知だったであろうか！  ―その位草津温泉は、銘湯であり、天下にその名を轟せたのは、当時、不治の病と言われた、「労咳（ろうがい、肺結核）梅毒、（スピロヘーターパリダ）淋病（淋菌）癩病（癩菌、レプラ）等の、感染患者が湯治客の中に混っていても、治癒した例があったからの由以によるものであったが、その迷を解き明すと、実に簡単な事となった。【００４０】  風呂好きの日本国民には、これらの感染患者こそ少なく、これらの患者が国内に目立つ様になったのは、秀吉の朝鮮出兵以後、特に、牛馬等家畜に因果関係のある、（中国）大陸の放牧民族に目立ってあり、之れ等を持ち帰った。という説がある中、病状が重度では無く、軽症の内は、草津温泉でなくとも、（特に、冬期間に限定が必要となる。）家庭内にある風呂の温湯を４０℃以上にし、（草津温泉は、４３℃あるという）隣室にコタツ、ベッドを置き、およそ、１０分から２０分の割り合いで、体力に合わせ、湯中（ゆあたり）しない低度に、湯に浸り、湯から上ったら、ドテラ（綿入れ）を着、コタツの中に入るか！布団の中に入り、躰を充分に休めてから、又、暑目の風呂に入り続ける、（これは、「湯治治療の定理」となる。）事を繰り返ししていると、いつしか、体内に集る黴菌（悪玉菌）ウィルスは、４０℃以上の温度に弱い事から、死滅し、自然治癒しているものとなったが、温泉の中に含まれる、鉱物質（湯の花、市販品）にも、薬効性は、認められるが、【００４１】  ８０℃以上から１００℃以上の温度を、人（動物）体に用いても危険が無く、唯一利用出来るものと言えば、「サウナ、バス」と言うものがあるが、大型の冷蔵庫であり、氷点下０℃以下に出来る、ビルの中に、二つの部屋を持つ小屋を造り、2016047233.tif 000012
は、主に、現代（現在）迄、不治の病と呼ばれ、治療しにくい、とされる「エイズウィルス」、「肝炎ウィルス」、「癌ウィルス」、他、鳥インフルエンザ」症の患者様の内で、短気であり、我慢強い方々であり、病症（自然）治療効果の速効性2016047233.tif 000013
５分間を目処として、この中に入り、サウナ室から出て、汗を拭き、（冷水浴、厳禁）ドテラ（綿入れ）を着込み、体温計、必携帯する、体温を絶対に、３６℃以下に落とさぬ様、看護する、別室に用意されている、コタツ、ベッドの中に入っては、被労しない様、充分に休息をする、体調管理の元、又、サウナ室の中に繰り返しては、入り、休息を取る事を繰り返して続ける、被実験者が退屈しない様に、ＴＶ、ラジオ、ビデオ、雑誌、新聞等を持ち込んでもらい、室内温度は、３６．５℃以下にならない様に（汗をかいては着替える、）して、治療すると、これら、不治の病いと呼ばれる、大概の法定伝染菌、他、ウィルスは死滅（電子顕微鏡から素形を消す事で、本説は立証。）するものとなるが、被実験者は、その後にも、三ヶ月以上は、この状態を続けなければならなかった。――その訳は、【００４２】
2016047233.tif 000014
の胞子を、患者の体内に残して死滅するからであり、この患者が、不治の病から解放された。と、感違いをし、一時でも、体温を３５℃以下に降とす様な事があれば、ほぼ一瞬の内に、これら、悪玉（法定）伝染菌、ウィルスは、この患者の体内で、元の集っていた時の数量（以上）を回復する、（すぐに、電子顕微鏡で観える。）リバウンド現象が起こり易い事が、この湯治療法に付き纏わりつく為に、中には致命的になるに近い現象も起こる事が厳重注意書きで示される程、細菌、ウィルス（法定）伝染菌には、熟知して、臨まなければならなかった。――その故、【００４３】  これだけ、詳細されて、大仕掛けの実験をしなければならなかった理由は、人間の顔（特に額）は、外気温感知センサーになっている為、この（実験）治療は、菌類繁殖の活発となる、夏期には、（実力）行使出来ない他、これらの（実験）療を夏期日に、行使すると、人の体温は、必ず異常する為、苦痛を伴うものとなり、平均体温３６．５℃を維持する事は、（絶対的）不可能となるものであり、サウナバスに見られる様に、この治療を行う者は、治療途中に冷水に入り、体温を３５℃以下に急速に落とす様な事をした場合、体内細菌、ヴィールスは、異常（急）繁殖するものとなり、致命的危険に晒されるので、これらの治療行為を行う者は、我慢や、短気を起こさず、やはり、日本の古くからの伝統に診られる様に、湯治療法の定理や、定義に従って、冬期間のみに限定し、患者の体内から、菌、ウィルスの胞子が完全に抜け切る迄の、リバウンドを起こしずらくして済む迄の期間内、（菌、ウィルス等が電子顕微鏡から消えてから、）余裕を以って、大概、３ヶ月以上、取り行なわなければならなかった。――又、類例を得る、【００４４】  人の足裏に出来る、しつこい水虫（白癬）菌でも、真夏の６０℃から８０℃前後で焼かれた砂浜の上を歩くと、一瞬の内に、子孫の胞子を残して、之れは、死滅（全滅）する時、その胞子も、海水浴の乾燥した浜辺と砂と、海水で（流され、）落とされる際には、完全治癒されており、【００４５】  先進国では、牛乳が、消費者に出荷される前には、必ず８０℃の低温殺菌処理が施こされる事で、之れを飲む消費者に、事故（事件）が起こった試しは無く、（余談だが、熱処理前の生の牛乳はウマい。）【００４６】（法定）伝染菌被災患者の用いる、衣類、寝具類には、１００℃の殺菌熱処理を加えると、（直接）感染予防となる他、考証論理を、この様に例えに揚げ続けた場合には、キリが無い中、もう暫く類例が進められる所、（胞子は、強健）【００４７】  筆者（研究者）が、之れら感染症患者の感染する、感染ルートを調査する限り、気象の寒期季節や、恒温動物の恒設体温2016047233.tif 000015
【００４８】  鳥インフルエンザをして、（鳥と人間）の感染原因は、鳥（類）と人（類）の恒設体温が、いずれも、３５℃以下に下廻っている者に於ける、接（触）点で共通する、鳥と人間との間に、毒性（感温）を強くする、ウィルス感染症が発生しており、――分り易く言うと、（例）毒蛇に咬まれた鼠を蛇が呑み込む時、蛇の胃液で、鼠の表面を消化する、鼠の体内にある、毒蛇の毒性は、消化酵素となり、鼠の内側から之れを消化するのを助ける、蛇の進化性を物語るものであり、消化（毒）酵素を持たない、無毒蛇は、鼠等を呑み込む際、消化し切れない時には、之を口から吐き出した。菌、ウィルスの毒性の強化（進化）についても同じ事が言えた。  ――考証論理、（海洋生物学援用）する、ペンギン他では、気管支内温度が３５℃付近迄温くなって来る時、感冒をひき、）2016047233.tif 000016
に下廻っている者における、接（触）点で、共通する、ウィルス感染症の発生が突き留められている中、謀国、周辺で多発している、エイズ症（キャリア）で、発病しても、途中で自然治癒する者の体温を側定した限り、体温が３７℃以上ある、高体温症の人に多く診られた。【００４９】  肝炎ウィルスに付いても、（注射の回し射ちにおける、）恒設体温が、３５℃以下に下廻わる者や、時節期に多く発症している事が突き留められる時、癌ウィルスの発症等も、血流の流れが滞って、血液が汚れて、淀み、（恒設体温が３５℃以下に下廻っている様な患部に多く診られる時、（＊、ワクチン接種等で、途中、体内トラブルを起こす者の、体温、３５℃以下の低体温症に付いても、読者には、着眼されたい。）この様に、特に、【００５０】  鳥インフルエンザの流行する際には、鶏舎内に、石油ストーブ等を設置する、鶏舎内温度が、３６．５℃以下（之れは、人にウィルスが感染しない温度、目安となる。）にならない様な、借置を取れば、鳥インフルエンザは流行しないものとなった。  又、之れらの事から、感染症（患者）冬期間、受け入れ病院（学校、会社）等、室内平均温度を３６℃以上に保つと、感染症は、感染しづらいものとなった。
【産業上利用の可能性】
【００５１】  先進国では、どこでも、製品のオートメーション化製産に成功する事で、インフレを脱却し、今度は、造幣出力が追い付かない、デフレスパイラル現象が続き、苦しめられる（政治経済学援用、２０１４−１７６４１９号参照。）日々が続く中、先進国、（大）企業、（大手製造メーカ）側では、向う、二十年間（以上）にして、一日十万本以上の製品を製造し、販売でき続ける事を見越せ（ず、）出来ない物は、（新）発明品として、見成さない（鉄則）がある時、
【００５２】  本案件にある発明品は、細菌、ウィルス学を徹底的に、追求（研究）され尽くし、人（動物）の自律神経にある、恒設体温を、平均して、３６．５℃とみなし、この体温値にある、温度は、（悪玉）細菌、ウィルスを寄せ付けない、温度（帯）である。と認定する、研究報告の元に、一応、幼児恒設体温（値）を３８℃以上とし、大人の恒設体温（値）を４３℃未満とする、低温火傷を起こしづらい、歯磨きウガイ温湯や、義歯殺菌、消毒温湯他、体内殺菌、消毒（入浴）病室棟を連ねさせて造る他、更に之れらを便利にする為に、多くの附属品を付加させて用い、消費者に提供出来た際、不治病症を、
【００５３】自然治癒させる事の出来る効果がある事を、主として、ポットを製造するメーカーや、（小屋をして、）病院（室内）を製造して、する、スパ、リゾート等と、合弁できる、産業界が、理解した場合、産業上の利用の可能性は、極めて高い物となった。（建設業界含む）
【附号の説明】
【００５４】１．低湯殺菌、ウガイ湯入れポット（Ｔ．６７７）の正面図。２．低温殺菌ウガイ湯入れポット（Ｔ．６７７）の側面図。３．低温ウガイ湯入れポット（Ｔ．６７７）の内に汲み置く事の出来る温湯は、最初の５分間は、Ａボタン（若しくは、ダイヤル）により、８０℃以上の温（熱）湯を提供（供給）できて、４．その後に、６０℃未満の温湯に設定出来る様にする、Ｂボタン（若しくは、ダイヤル）が設けられている事を示し、５．そして、その後に、更に、４３℃以上の温湯を必要とする際、Ｃボタン（若しくは、ダイヤル）を設定する事で、温湯熱が、３段回をして、自在に選べる、ボタン、（若しくはダイヤル）を図示。６．ポット内、汲み置き温湯を、それぞれに、図示される温湯に保たたせる、家庭用エネルギー電源を用いる、電気コードを示す図となり、７．家庭用電源の無い場合は、ポットの底部に、バッテリー（電池）を入れる事が出来、８．低温殺菌ウガイ湯入れポット（Ｔ．６７７）と、同様の（機能）効果を持たせ、（三段階）必要温湯を得る事が出来る、「携帯用低温殺菌ウガイ湯入れポット（Ｔ．６７８）」の側面図。９．歯ブラシ（Ｔ．６５８）図。１０．磁石付乾燥自在歯ブラシ収納ケース（Ｔ．６７９）１１．乾燥自在収納ケース（Ｔ．６７９）の底部に磁石が付いている事を表わす図。１２．磁石付歯磨コップ乾燥自在コップ入れ収納ポケット（Ｔ．６８０）  １３．歯磨きチューブ図。１４．歯磨コップ図。１５．ポットの側面の一部に、磁石の吸い付き易いステンレス貼付けポット（Ｔ．６８１）をする、ステンレス部分を表わす図。１６．凹凸器付歯ブラシ自然乾燥収納ケース（Ｔ．６８２）  １７．凹凸器付歯磨チューブ自然乾燥収納ケース（Ｔ．６８３）  １８．凹凸器付歯磨コップ自然乾燥収納ケース（Ｔ．６８４）  １９．凹凸器具を用い、スライドさせて、本発明附属品の取り付け外しや、自然乾燥が自在に出来る事、本発明品容器や、之れに伴う、歯磨道具類を用いて、歯磨き道具を便利にする、凹凸器具を示す図。２０．凹凸器具をスライド式で用いる他、パッチンと音を立てる様にして、本発明品の、自然乾燥が出来て、取り付け外しが自在に出来る、本発明（発見）品湯や、歯磨道具器の取り扱いを便利にする事の出来る、スライド装置を示す図。２１．（一応）８０℃から、４３℃未満の低温火傷を起こしづらい湯をポットに提供する蛇口。２２．４０℃から４３℃くらい迄の温湯（温度）を確認出来る、温度計（若しくは、デジタルセンサー）  ２３．ポット内の、温湯の残量を覗き見出来る窓。２４．義歯を人の口内から取り出し図示。２５．最初の５分間は、８０℃以上の温（熱）湯を提供（供給）でき、その後には、最低基底温度を６０℃から、若しくは、４３℃未満迄、引き下げる事の出来る、温（熱）湯を表わす図となり、２６．人が使用して（後）取り外した義歯や、歯ブラシを、この発明される温湯の中に漬け込んで殺菌、消毒する事が出来る事を、矢印で示し、２７．本発明、「義歯温湯殺菌消毒湯沸し器（Ｔ．６８５）」には、蓋が、蝶番によって付けられている事を図に示し、２８．その蓋には、歯ブラシのブラシ部分を逆さにして、突っ込で、温（熱）湯で、歯ブラシを殺菌、消毒出来る事が出来る穴が開けられている事を示��図を示すが、２９．この状態（図）は、矢立て状態となり、この上に、（御）老人が誤って転倒する事があった場合、突き刺さりの危険が生ずる物となるので、この歯ブラシの上に、転倒者があっても、急速に歯ブラシが縮少する、Ｔ．６６３号式歯ブラシ（２０１４−３３４０３、２０１４−１８５６５６、２０１４−２１８６９８号式歯ブラシ参照。）を使用する事が理想となった。事を示す図。３０．本発明、「義歯温湯殺菌消毒湯沸し器（Ｔ．６８５）内にある、温湯は、家庭用電源から、電力を得て、発熱を得る物から、３１．携帯用に為す、バッテリーから、発熱（電力）を得る事が出来る事を示す図。３２．「義歯温湯殺菌消毒湯沸器（Ｔ．６８５）」内の温湯温度高を知らせる温度計。３３．Ａボタン（このボタンを押すと、「義歯温湯殺菌消毒湯沸器（Ｔ．６８５）」内の温湯が、５分間上昇して後、５分後に、８０℃から４３℃未満迄、引き下げる事の出来る、）装置を表わし、３４．Ｂボタン（このボタンを押すと、「義歯温湯殺菌消毒湯沸し器（Ｔ．６８５）」内にある、温（熱）湯が４０℃以内で維持出来る事を示す）装置。３５．Ｃボタン（このボタンを押すと、「義歯温湯殺菌消毒湯沸し器（Ｔ．６８５）内にある温湯熱が４０℃以上、４３℃未満で、維持出来る事を示す）装置を表している図を示す物となっているが、３人、（３組）の義歯を用い、食後、義歯を取り外し、この様に、造られる温湯の中に、義歯を入れてもらう、（１０年間）この実験をした結果、義歯は無菌状態を続ける物となり、この温湯による、義歯の（熱彼労）被害も観られない物となった。３６．病院（浴）平均室内温度を３６．５℃以上に、必ず保温できる、（病院室内構成壁間隙内に、氷点以下の冷気が空調されているので、蒸し熱さは、感じない。）様に空調器が整えられている事を示す図となり、一昔前迄には、治療しづらいと、考えられていた、本発明案件に見られる、（法定）伝染疾病症患者（様）が、之れらの疾病症治療に、臨もうとする際、理想とする、病院（小屋、若しくは、個室）等をする、建2016047233.tif 000017
位から、上部位へと、（図面上、分り易い様に、空調、冷気を下部位から、上部位へと矢印の方向へ誘導して、吹き上げさせる様に示しているが、上部位から、空調冷気を吹き降す事が理想となる。）吹き上げさせる、之の様にして、（隔離室の、）壁自体を、０℃（以下）になる物として、壁自体を、０℃（以下）になる物として、（故意にして）造り、３９．入浴室を、Ａ室と呼び、４０．之の浴室内にある浴槽には、４０℃以上、４３℃迄を、大概の限界温度とする、温湯を準備し、患者（様）が退屈しない様に、４１．ＴＶ、ビデオや、４２．（必要ならば、）サウナ装置を備え付けた図を示し、４３．Ａ室の室内温度は３６．５℃以上、４３℃位の空調設備を確保する事を理想として造り、この室内にある温湯の中に、湯中（ゆあたり）しない様に、この患者（様）に何度も入ってもらい、４４．患者（様）に於いて、休憩したい、と望まれる際には、温湯（浴室）から出たら、ドア一つ設けて、経てた隣室と繋がるもとのして、４５．ドア１つ経てた隣室には、平均温度３６．５℃を理想として、室内温度を空調出来る、休憩室をＢ室と呼び、休憩出来る、Ｂ棟室内に入って、休息する患者（様）の体温を絶対に降下させない様に配慮すべく、必要なら、（綿入、ダウンジャケット、ヤッケ、若しくは、それら、）防寒着を着させ、４６．用意されるコタツの中に入ってもらい、患者（様）が退屈しない様に、新聞、雑誌や、４７．マージャン、将棋、碁他、ゲーム他等を取り備えたり、４８．書籍（箱）や、４９．休憩出来る、布団付ベッドが示される図となるが、Ｂ棟室内では、うたた寝を厳禁とする、防寒着等の配慮が必要とする事を図に示し、５０．Ｂ棟室と、Ｃ棟室は、（透明図に見えるが、）断熱材を以って仕切り壁としている事を示し、５１．ＴＶや  ５２．ビデオ、５３．鏡、クローゼットを設けた、就寝（ベッド付）専用の部室をＣ棟室と呼び、ドア等を設けて経てた隣室には、平均室内温度を３６．５℃以上を理想（壁、間隙には、氷点下冷気で冷しているので蒸し熱さは無い。）として、空調できる寝室として造り、（図示されては、いないが、寝台連車をイメージされたく、）之れら、Ａ棟室、Ｂ棟室、Ｃ棟室等を細い廊下や、ドアで数珠繋ぎで連結（連絡）出来て、一つの機能を持つ事の出来る、病院（小屋、個室）室（Ｔ．６８６号病室）等の造り方を示す図。５４．一連の機能を持つ、Ａ棟室、Ｂ棟室、Ｃ棟室の各部室の室内温度が平均３６．５℃以上を示す温度計。５５．そして、之の様にして造られる病院（小屋、若しくは、個室の）の上に覆せる、蓋（状）板は、やはり、（二重の、）断熱素材を用いて、上から、之れに被せて、壁間隙の間隙の間に下から上へと、発射される冷気を上部に逃がさない様に、蓋を示す事を示す図。５６．歯ブラシ（ブラシ）の根元に、歯磨粉の垢が（乾燥して、）附着する際には、ここには、歯周病源菌等の胞子が貯り易く、感染（症）の一因と成している事を示す図。５７．余談だが、「お茶」の出涸しには、殺菌効果がある事を示した図。
【図１】
2016047233.tif 000018
【図２】
2016047233.tif 000019
【図３】
2016047233.tif 000020
【手続補正書】
【提出日】平成27年5月25日(2015.5.25)
【手続補正１】
【補正対象書類名】特許請求の範囲
【補正対象項目名】請求項３
【補正方法】変更
【補正の内容】
【請求項３】
この様に、本発明される、温湯ポット（Ｔ．６８５）の中には、殺菌を目的とし、この中に「義歯」が入れられる他、之の温湯ポット（Ｔ．６８５）に被せる、蓋部位には、やはり、歯ブラシの殺菌や、汚れ落しに為す、穴を開け、穴の開けられた温湯ポット（Ｔ．６８５）の蓋部位から、（Ｔ．６６３号式歯ブラシ等の、）ブラシ部分を逆さにして、矢立ての如くにして、上部位から、ポット内に、貫き入れる事の出来る様にする他、この様にしてする、歯磨き（ブラッシング）を終えた、終期（的）には、塩素（他、義歯、ブラシ洗浄剤）等で、殺菌、消毒がされる他、後更に、歯磨き（ブラッシング）を終えた後には、邪馬になる、歯ブラシ自体を、「温湯ポット（Ｔ．６８５）」の蓋（側面部）に取り付けられる凹器（他、磁石）物と、Ｔ．６６３号式歯ブラシ後尾部に取り付けられた凸器（他、磁石）物による連結器等を用いて、「スライド式」や、「磁石」、若しくは、「パッチン」と音を立てて、取り付け外しの出来る器具が発明される時、義歯や、歯ブラシの殺菌が良く出来、これらの物を兼ね備えさせ、乾燥や、携帯を便利にし、歯磨きを便利にするポット。
【手続補正２】
【補正対象書類名】明細書
【補正対象項目名】００５４
【補正方法】追加
【補正の内容】
【００５４】１．低湯殺菌、ウガイ湯入れポット（Ｔ．６７７）の正面図。２．低温殺菌ウガイ湯入れポット（Ｔ．６７７）の側面図。３．低温ウガイ湯入れポット（Ｔ．６７７）の内に汲み置く事の出来る温湯は、最初の５分間は、Ａボタン（若しくは、ダイヤル）により、８０℃以上の温（熱）湯を提供（供給）できて、４．その後に、６０℃未満の温湯に設定出来る様にする、Ｂボタン（若しくは、ダイヤル）が設けられている事を示し、５．そして、その後に、更に、４３℃以上の温湯を必要とする際、Ｃボタン（若しくは、ダイヤル）を設定する事で、温湯熱が、３段回をして、自在に選べる、ボタン、（若しくは、ダイヤル）を図示。６．ポット内、汲み置き温湯を、それぞれに、図示される温湯に保たたせる、家庭用エネルギー電源を用いる、電気コードを示す図となり、７．家庭用電源の無い場合は、ポットの底部に、バッテリー（電池）を入れる事が出来、８．低温殺菌ウガイ湯入れポット（Ｔ．６７７）と、同様の（機能）効果を持たせ、（三段階）必要温湯を得る事が出来る、「携帯用低温殺菌ウガイ湯入れポット（Ｔ．６７８）」の側面図。９．歯ブラシ（Ｔ．６５８）図。１０．磁石付乾燥自在歯ブラシ収納ケース（Ｔ．６７９）  １１．乾燥自在収納ケース（Ｔ．６７９）の底部に磁石が付いている事を表わす図。１２．磁石付歯磨コップ乾燥自在コップ入れ収納ポケット（Ｔ．６８０）  １３．歯磨きチューブ図。１４．歯磨コップ図。１５．ポットの側面の一部に、磁石の吸い付き易いステンレス貼付けポット（Ｔ．６８１）をする、ステンレス部分を表わす図。１６．凹凸器付歯ブラシ自然乾燥収納ケース（Ｔ．６８２）  １７．凹凸器付歯磨チューブ自然乾燥収納ケース（Ｔ．６８３）  １８．凹凸器付歯磨コップ自然乾燥収納ケース（Ｔ．６８４）  １９．凹凸器具を用い、スライドさせて、本発明附属品の取り付け外しや、自然乾燥が自在に出来る事、本発明品容器や、之れに伴う、歯磨道具類を用いて、歯磨き道具を便利にする、凹凸器具を示す図。２０．凹凸器具をスライド式で用いる他、パッチンと音を立てる様にして、本発明品の、自然乾燥が出来て、取り付け外しが自在に出来る、本発明（発見）品湯や、歯磨道具器の取り扱いを便利にする事の出来る、スライド装置を示す図。２１．（一応）８０℃から、４３℃未満の低温火傷を起こしづらい湯をポットに提供する蛇口。２２．４０℃から４３℃くらい迄の温湯（温度）を確認出来る、温度計（若しくは、デジタルセンサー）  ２３．ポット内の、温湯の残量を覗き見出来る窓。２４．義歯を人の口内から取り出し図示。２５．最初の５分間は、８０℃以上の温（熱）湯を提供（供給）でき、その後には、最低基低温度を６０℃から、若しくは、４３℃未満迄、引き下げる事の出来る、温（熱）湯を表わす図となり、２６．人が使用して（後）取り外した義歯や、歯ブラシを、この発明される温湯の中に漬け込んで殺菌、消毒する事が出来る事を、矢印で示し、２７．本発明、「義歯温湯殺菌消毒湯沸し器（Ｔ．６８５）」には、蓋が蝶番によって付けられている事を図に示し、２８．その蓋には、歯ブラシのブラシ部分を逆さにして、突っ込で、温（熱）湯で歯ブラシを殺菌、消毒出来る事が出来る穴が開けられている事を示す図を示すが、２９．この状態（図）は、矢立て状態となり、この上に、（御）老人が誤って転倒する事があった場合、突き刺さりの危険が生する物となるので、この歯ブラシの上に、転倒者があっても、急速に歯ブラシが縮少する、Ｔ．６６３号式歯ブラシ（２０１４−３３４０３、２０１４−１８５６５６、２０１４−２１８６９８号式歯ブラシ参照。）を使用する事が理想となった。事を示す図。３０．本発明、「義歯温湯殺菌消毒湯沸し器（Ｔ．６８５）内にある、温湯は、家庭用電源から、電力を得て、発熱を得る物から、３１．携帯用に為す、バッテリーから、発熱（電力）を得る事が出来る事を示す図。３２．「義歯温湯殺菌消毒湯沸器（Ｔ．６８５）」内の温湯温度高を知らせる温度計。３３．Ａボタン（このボタンを押すと、「義歯温湯殺菌消毒湯沸器（Ｔ．６８５）」内の温湯が５分間上昇して後５分後に、８０℃から４３℃未満迄、引き下げる事の出来る、）装置を表わし、３４．Ｂボタン（このボタンを押すと、「義歯温湯殺菌消毒湯沸し器（Ｔ．６８５）」内にある、温（熱）湯が４０℃以内で維持出来る事を示す）装置。３５．Ｃボタン（このボタンを押すと、「義歯温湯殺菌消毒湯沸し器（Ｔ．６８５）内にある温湯熱が４０℃以上、４３℃未満で、維持出来る事を示す）装置を表わしている図を示す物となっているが、３人（３組）の義歯を用い、食後、義歯を取り外し、この様に、造られる温湯の中に、義歯を入れてもらう、（１０年間）この実験をした結果、義歯は無菌状態を続ける物となり、この温湯による、義歯の（熱彼労）被害も観られない物となった。３６．病院（浴）平均室内温度を３６．５℃以上に、必ず保温できる、（病院室内構成壁間隙内に、氷点以下の冷気が空調されているので、蒸し熱さは、感じない。）様に空調器が整えられている事を示す図となり、一昔前迄には、治療しづらいと考えられていた、本発明案件に見られる、（法定）伝染疾病症患者（様）が、之れらの疾病症治療に、臨もうとする際、理想とする、病院（小屋、若しくは、個室）等をする、建
2016047233.tif 000021
位から、上部位へと、（図面上、分り易い様に、空調、冷気を下部位から、上部位へと矢印の方向へ誘導して、吹き上げさせる様に示しているが、上部位から、空調冷気を吹き降す事が理想となる。）吹き上げさせる、之の様にして、（隔離室の、）壁自体を、０℃（以下）になる物として、壁自体を、０℃（以下）になる物として、（故意にして）造り、３９．入浴室を、Ａ室と呼び、４０．之の浴室内にある浴槽には、４０℃以上、４３℃迄を、大概の限界温度とする、温湯を準備し、患者（様）が退屈しない様に、４１．ＴＶ、ビデオや、４２．（必要ならば、）サウナ装置を備え付けた図を示し、４３．Ａ室の室内温度は３６．５℃以上、４３℃位の空調設備を確保する事を理想として造り、この室内にある温湯の中に、湯中（ゆあたり）しない様に、この患者（様）に何度も入ってもらい、４４．患者（様）に於いて、休憩したい、と望まれる際には、温湯（浴室）から出たら、ドア一つ設けて、経てた隣室と繋がるものとして、４５．ドア１つ経てた隣室には、平均温度３６．５℃を理想として、室内温度を空調出来る、休憩室をＢ室と呼び、休憩出来る、Ｂ棟室内に入って、休息する患者（様）の体温を絶対に降下させない様に配慮すべく、必要なら、（綿入、ダウンジャケット、ヤッケ、若しくは、それら、）防寒着を着させ、４６．用意させるコタツの中に入ってもらい、患者（様）が退屈しない様に、新聞、雑誌や、４７．マージャン、将棋、碁他、ゲーム他等を取り備えたり、４８．書籍（箱）や、４９．休憩出来る、布団付ベッドが示される図となるが、Ｂ棟室内では、うたた寝を厳禁とする、防寒着等の配慮が必要とする事を図に示し、５０  Ｂ棟室と、Ｃ棟室は、（透明図に見えるが、）断熱材を以って仕切り壁としている事を示し、５１．ＴＶや、５２．ビデオ、５３．鏡、クローゼットを設けた、就寝（ベッド付）専用の部屋をＣ棟室と呼び、ドア等を設けて経てた隣室には、平均室内温度を３６．５℃以上を理想（壁、間隙には、氷点下冷気で冷しているので蒸し熱さは無い。）として、空調できる寝室として造り、（図示されてはいないが、寝台連車をイメージされたく、）之れら、Ａ棟室、Ｂ棟室、Ｃ棟室等を細い廊下や、ドアで数珠繋ぎで連結（連絡）出来て、一つの機能を持つ事の出来る、病院（小屋、個室）室（Ｔ．６８６号病室）等の造り方を示す図。５４．一連の機能を持つ、Ａ棟室、Ｂ棟室、Ｃ棟室の各部屋の室内温度が平均３６．５℃以上を示す温度計。５５．そして、之の様にして造られる病院（小屋、若しくは、個室の）の上に覆せる蓋（状）板は、やはり、（二重の、）断熱素材を用いて、上から、之れに被せて、壁間隙の間隙の間に下から上へと、発射される冷気を上部に逃がさない様に、蓋を示す事を示す図。５６．余談だが、「お茶」の出涸しには、殺菌効果がある事を示した図。５７．歯ブラシ（ブラシ）の根本に、歯磨粉の垢が（乾燥して、）附着する際には、ここには、歯周病源菌等の胞子が貯り易く、感染（症）の一因となっている事を示す図。５８．之の様に、現代医学で、治療が困難なる、全身に転移する、（悪性）腫瘍疾病患者（様）に、同様にして、湯治療法の、定理（定義）に従って、之の温湯治療法室に、入室（若しくは、入浴）し続けると���癌ウイルスは、全（死）滅するものとなる事を示す。５９．歯磨き（ブラッシング）を終えた後に、邪馬になる、「（Ｔ．６６３号式）歯ブラシ自体」の尾部には、凸器物（若しくは、磁石）が取り付けられている図が示されており、６０．スライドさせるか、パッチンと音を立てて、邪馬になる、「歯ブラシ自体（Ｔ．６８５号式）ポットの蓋（若しくは、）側面部に取り付けられている、凹器図（他、磁石）とに示される、連結器等を用いて、歯ブラシ（Ｔ．６６３号）と、温湯ポット（Ｔ．６８５）器機とに、連絡を取らせ、必要、不必要に合わせて、乾燥を良くし、取り付け外しが自在に出来、歯磨きを便利にする、６１．歯ブラシ（Ｔ．６６３号）を、６２．温湯ポット（Ｔ．６８５）器機に取り付け、歯磨きを便利にする、ポット図。６３．凹器物の間に、（黒く塗られた部分。）磁石が入っている事を示し、６４．歯ブラシの凸器物の先に、磁石が付いている事を示す図となるが  ６５．歯磨き（ブラッシング）を終えた、終期（的）には、塩素（他、義歯、ブラシ洗浄剤）等を用いて、「温湯ポット（Ｔ．６８５）」の蓋部に開けられた穴から、歯ブラシ（Ｔ．６６３号）のブラシ部分を突っ込んで歯ブラシを洗浄する事が出来る事を示す図。６６．筆者が、まだ、中学生の頃の事だった。学校に登行して来る（女の）子の内で、急に髪の毛が禿げ出した時、顔の可愛らしい子であったばかりに、余計に、それが惨めに見へ、可愛想に思われている間も無く、髪の毛は、全て抜け落ちて無くなり、顔が崩れ始めた時には、中学校の先生によって、説明される、「………あの子は、感染性の殆ど無い、軽い皮膚病にかかっている為に、髪の毛が抜けている。」と、言うだけの言葉だけでは、通らなくなった。ひどい噂話しが飛び交う中、友達の全ては、その子から離れてしまい、遂に、その子は、学校に通学出来なくなってしまっていた。これは、筆者が、生まれて始めて見た
2016047233.tif 000022
ろか！」と、考えたが、当時の医師の説明では、カツラ等を被らないで、禿げた頭皮を日光に照射させ続けた方が良い。」と言う。冷淡な、診察、診断で終っていた。――筆者は、その後、大人になっており、感染疾病症
2016047233.tif 000023
患者（様）には、本発明案件（論証済み）の、日本の古来から伝わる、湯治療法の定理（定義）に従って、温中しない様にする、４０℃〜４３℃を限界とする、浴槽の中に入浴してもらう、毎回、１０分間から、１５分間にある、その時間帯には、同じ温（熱）湯に入れた、ビニール袋（や、タオルを含む）を用意し、直接、温湯に浸しづらい、患者（様）の顔面部分や、頭皮部分にある、患部に之れらを当て続けると、顔面部分や、頭皮部分に出来た、感染（症）菌は、すぐに、死滅させ続ける事が出来る、同温度の温湯の入ったビニール袋（若しくは、タオル）を示す図を示す。
【手続補正３】
【補正対象書類名】図面
【補正対象項目名】全図
【補正方法】変更
【補正の内容】
【図１】
2016047233.tif 000024
【図２】
2016047233.tif 000025
【図３】
2016047233.tif 000026
【手続補正書】
【提出日】平成27年6月5日(2015.6.5)
【手続補正１】
【補正対象書類名】明細書
【補正対象項目名】００５４
【補正方法】変更
【補正の内容】
【００５４】１．低湯殺菌、ウガイ湯入れポット（Ｔ．６７７）の正面図。２．低温殺菌ウガイ湯入れポット（Ｔ．６７７）の側面図。３．低温ウガイ湯入れポット（Ｔ．６７７）の内に汲み置く事の出来る温湯は、最初の５分間は、Ａボタン（若しくは、ダイヤル）により、８０℃以上の温（熱）湯を提供（供給）できて、４．その後に、６０℃未満の温湯に設定出来る様にする、Ｂボタン（若しくは、ダイヤル）が設けられている事を示し、５．そして、その後に、更に、４３℃以上の温湯を必要とする際、Ｃボタン（若しくは、ダイヤル）を設定する事で、温湯熱が、３段回をして、自在に選べる、ボタン、（若しくはダイヤル）を図示。６．ポット内、汲み置き温湯を、それぞれに、図示される温湯に保たたせる、家庭用エネルギー電源を用いる、電気コードを示す図となり、７．家庭用電源の無い場合は、ポットの底部に、バッテリー（電池）を入れる事が出来、８．低温殺菌ウガイ湯入れポット（Ｔ．６７７）と同様の（機能）効果を持たせ、（三段階）必要温湯を得る事が出来る、「携帯用低温殺菌ウガイ湯入れポット（Ｔ．６７８）」の側面図。９．歯ブラシ（Ｔ．６５８）図。１０．磁石付乾燥自在歯ブラシ収納ケース（Ｔ．６７９）  １１．乾燥自在収納ケース（Ｔ．６７９）の底部に磁石が付いている事を表わす図。１２．磁石付歯磨コップ乾燥自在コップ入れ収納ポケット（Ｔ．６８０）  １３．歯磨きチューブ図、１４．歯磨コップ図。１５．ポットの側面の一部に、磁石の吸い付き易いステンレス貼付けポット（Ｔ．６８１）をする、ステンレス部分を表わす図。１６．凹凸器付歯ブラシ自然乾燥収納ケース（Ｔ．６８２）  １７．凹凸器付歯磨チューブ自然乾燥収納ケース（Ｔ．６８３）  １８．凹凸器付歯磨コップ自然乾燥収納ケース（Ｔ．６８４）  １９．凹凸器具を用い、スライドさせて、本発明附属品の取り付け外しや、自然乾燥が自在に出来る事、本発明品容器や、之れに伴う、歯磨道具類を用いて、歯磨き道具を便利にする、凹凸器具を示す図。２０．凹凸器具をスライド式で用いる他、パッチンと音を立てる様にして、本発明品の、自然乾燥が出来て、取り付け外しが自在に出来る、本発明（発見）品湯や、歯磨道具器の取り扱いを便利にする事の出来る、スライド装置を示す図。２１．（一応）８０℃から、４３℃未満の低温火傷を起こしづらい湯をポットに提供する蛇口。２２．４０℃から４３℃くらい迄の温湯（温度）を確認出来る、温度計（若しくは、デジタルセンサー）  ２３．ポット内の、温湯の残量を覗き見出来る窓。２４．義歯を人の口内から取り出し図示。２５．最初の５分間は、８０℃以上の温（熱）湯を提供（供給）でき、その後には、最低基低温度を６０℃から、若しくは、４３℃未満迄、引き下げる事の出来る、温（熱）湯を表わす図となり、２６．人が使用して（後）取り外した義歯や、歯ブラシを、この発明される温湯の中に漬け込んで殺菌、消毒する事が出来る事を、矢印で示し、２７．本発明、「義歯温湯殺菌消毒湯沸し器（Ｔ．６８５）」には、蓋が、蝶番によって付けられている事を図に示し、２８．その蓋には、歯ブラシのブラシ部分を逆さにして、突っ込で、温（熱）湯で、歯ブラシを殺菌、消毒出来る事が出来る穴が開けられている事を示す図を示すが、２９．この状態（図）は、矢立て状態となり、この上に、（御）老人が誤って転倒する事があった場合、突き刺さりの危険が生する物となるので、この歯ブラシの上に、転倒者があっても、急速に歯ブラシが縮少する、Ｔ．６６３号式歯ブラシ（２０１４−３３４０３、２０１４−１８５６５６、２０１４−２１８６９８号式歯ブラシ参照。）を使用する事が理想となった。事を示す図。３０．本発明、「義歯温湯殺菌消毒湯沸し器（Ｔ．６８５）内にある、温湯は、家庭用電源から、電力を得て発熱を得る物から、３１．携帯用に為す、バッテリーから、発熱（電力）を得る事が出来る事を示す図。３２．「義歯温湯殺菌消毒湯沸器（Ｔ．６８５）」内の温湯温度高を知らせる温度計。３３．Ａボタン（このボタンを押すと、「義歯温湯殺菌消毒湯沸器（Ｔ．６８５）」内の温湯が、５分間上昇して後５分後に、３０℃から４３℃未満迄、引き下げる事の出来る、）装置を表わし、３４．Ｂボタン（このボタンを押すと、「義歯温湯殺菌消毒湯沸し器（Ｔ．６８５）」内にある、温（熱）湯が４０℃以内で維持出来る事を示す）装置。３５．Ｃボタン（このボタンを押すと、「義歯温湯殺菌消毒湯沸し器（Ｔ．６８５）内にある温湯熱が４０℃以上、４３℃未満で、維持出来る事を示す）装置を表わしている図を示す物となっているが、３人、（３組）の義歯を用い、食後、義歯を取り外し、この様に、造られる温湯の中に、義歯を入れてもらう、（１０年間）この実験をした結果、義歯は無菌状態を続ける物となり、この温湯による、義歯の（熱疲労）被害も観られない物となった。３６．病院（浴）平均室内温度を３６．５℃以上に、必ず保温できる。（病院室内構成壁間隙内に、氷点以下の冷気が空調されているので、蒸し熱さは、感じない。）様に空調器が整えられている事を示す図となり、一昔前迄には、治療しづらいと、考えられていた、本発明案件に見られる、（法定）伝染疾病症患者（様）が、之れらの疾病症治療に、臨もうとする際、理想とする、病院（小屋、若しくは、個室）等をする、建
2016047233.tif 000027
位から、上部位へと、（図面上、分り易い様に、空調、冷気を下部位から、上部位へと矢印の方向へ誘導して、吹き上げさせる様に示しているが、上部位から、空調冷気を吹き降す事が理想となる。）吹き上げさせる、之の様にして、（隔離室の、）壁自体を、０℃（以下）になる物として、壁自体を、０℃（以下）になる物として、（故意にして）造り、３９．入浴室を、Ａ室と呼び、４０．之の浴室内にある浴槽には、４０℃以上、４３℃迄を、大概の限界温度とする、温湯を準備し、患者（様）が退屈しない様に、４１．ＴＶ、ビデオや、４２．（必要ならば、）サウナ装置を備え付けた図を示し、４３．Ａ室の室内温度は３６．５℃以上、４３℃位の空調設備を確保する事を理想として造り、この室内にある温湯の中に、湯中（ゆあたり）しない様に、この患者（様）に何度も入ってもらい、４４．患者（様）に於いて、休憩したい、と望まれる際には、温湯（浴室）から出たら、ドア一つ設けて、経てた隣室と繋がるものとして、４５．ドア１つ経てた隣室には、平均温度３６．５℃を理想として、室内温度を空調出来る、休憩室をＢ室と呼び、休憩できる、Ｂ棟室内に入って、休息する患者（様）の体温を絶対に降下させない様に配慮すべく、必要なら、（綿入、ダウンジャケット、ヤッケ、若しくは、それら、）防寒着を着させ、４６．用意されるコタツの中に入ってもらい、患者（様）が退屈しない様に、新聞、雑誌や、４７．マージャン、将棋、碁他、ゲーム他等を取り備えたり、４８．書籍（箱）や、４９．休憩出来る、布団付ベッドが示される図となるが、Ｂ棟室内では、うたた寝を厳禁とする、防寒着等の配慮が必要とする事を図に示し、５０  Ｂ棟室と、Ｃ棟室は、（透明図に見えるが、）断熱材を以って仕切り壁としている事を示し、５１．ＴＶや  ５２．ビデオ、５３．鏡、クローゼットを設けた、就寝（ベッド付）専用の部室をＣ棟室と呼び、ドア等を設けて経てた隣室には、平均室内温度を３６．５℃以上を理想（壁、間隙には、氷点下冷気で冷やしているので蒸し熱さは無い。）として、空調できる寝具として造り、（図示されては、いないが、寝台連車をイメージされたく、）之れら、Ａ棟室、Ｂ棟室、Ｃ棟室等を細い廊下や、ドアで数珠繋ぎで連結（連絡）出来て、一つの機能を持つ事の出来る、病院（小屋、個室）室（Ｔ．６８６号病室）等の造り方を示す図。５４．一連の機能を持つ、Ａ棟室、Ｂ棟室、Ｃ棟室の各部屋の室内温度が平均３６．５℃以上を示す温度計。５５．そして、之の様にして造られる病院（小屋、若しくは、個室の）の上に覆せる、蓋（状）板は、やはり、（二重の、）断熱素材を用いて、上から、之れに被せて、壁間隙の間隙の間に下から上へと、発射される冷気を上部に逃がさない様に、蓋を示す事を示す図。５６．余談だが、「お茶」の出涸しには、殺菌効果がある事を示した図。５７．歯ブラシ（ブラシ）の根本に、歯磨粉の垢が（乾燥して、）附着する際には、ここには、歯周病源菌等の胞子が貯り易く、感染（症）の一因となっている事を示す図。５８．之の様に、現代医学で、治療が困難なる、全身に転移する（悪性）腫瘍疾病患者（様）に同様にして、湯治療法の、定理（定義）に従って、之の温湯治療法室に、入室（若しくは、入浴）し続ける��、癌ウイルスは、全（死）滅するものとなる事を示す。５９．歯磨き（ブラッシング）を終えた後に、邪馬になる、「（Ｔ．６６３号式）歯ブラシ自体」の尾部には、凸器物（若しくは、磁石）が取り付けられている図が示されており、６０．スライドさせるか、パッチンと音を立てて、邪馬になる、「歯ブラシ自体（Ｔ．６８５号式）ポットの蓋（若しくは、）側面部に取り付けられている、凹器物（他、磁石）とに示される、連結器等を用いて、歯ブラシ（Ｔ．６６３号）と、温湯ポット（Ｔ．６８５）器機とに、連絡を取らせ、必要、不必要に合わせて、乾燥を良くし、取り付け外しが自在に出来、歯磨きを便利にする、６１．歯ブラシ（Ｔ．６６３号）を、６２．温湯ポット（Ｔ．６８５）器機に取り付け、歯磨きを便利にする、ポット図。６３．凹器物の間に、（黒く塗られた部分。）磁石が入っている事を示し、６４．歯ブラシの凸器物の先に、磁石が付いている事を示す図となるが  ６５．歯磨き（ブラッシング）を終えた、終期（的）には、塩素（他、義歯、ブラシ洗浄剤）等を用いて、「温湯ポット（Ｔ．６８５）」の蓋部に開けられた穴から、歯ブラシ（Ｔ．６６３号）のブラシ部分を突っ込んで歯ブラシを洗浄する事が出来る事を示す図。６６．筆者が、まだ、中学生の頃だった。学校に登行して来る（女の）子の内で、急に髪の毛が禿げ出した時、顔の可愛らしい子であったばかりに、余計に、それが惨めに見へ、可愛想に思われている間も無く、髪の毛は、全て抜け落ちて無くなり、顔が崩れ始めた時には、中学校の先生によって、説明される、「………あの子は、感染症の殆ど無い、軽い皮膚病にかかっている為に、髪の毛が抜けている。」と、言うだけの言葉だけでは、通らなくなった。ひどい噂話しが飛び交う中、友達の全ては、その子から離れてしまい、遂に、その子は、学校に通学出来なくなってしまっていた。これは、筆者が、生まれて始めて見た
2016047233.tif 000028
ろか！」と、考えたが、当時の医師の説明では、カツラ等を被らないで、禿げた頭皮を日光に照射させ続けた方が良い。」と言う。冷淡な、診察、診断で終っていた。―――筆者は、その後、大人になっており、感染疾病症
2016047233.tif 000029
患者（様）には、本発明案件（論証済み）の、日本の古来から伝わる、湯治療法の定理（定義）に従って、温中しない様にする、４０℃〜４３℃を限界とする、浴槽の中に入浴してもらう、毎回、１０分から、１５分間にある、その時間帯には、同じ温（熱）湯を入れた、ビニール袋（や、タオルを含む）を用意し、直接、温湯に浸しづらい、患者（様）の顔面部分や、頭皮部分にある、患部に之れらを当て続けると、顔面部分や、頭皮部分に出来た、感染（症）菌は、すぐに、死滅させ続ける事が出来る、同温度の温湯の入ったビニール袋（若しくは、タオル）を示す図を示す。６７．蠅、蚊、ノミ、シラミ、ダニ等による、害虫や、鼠等による、（害）動物を楳介する、種類の多い、法定伝染菌（ウィルス）症に観られるものの内、狂犬病（狂水病）ジステンパーの他、ジフテリア、マラリア他、多くの、（人体動物実験による、）本（発明）案件、温（熱）湯療法で自然治癒する報告があるので、本発明案件で、成功例にあるものとして、示される中、遺伝性筋ジストロフィーや、寄生虫による、フィラリア、ジストマ症者等にも、関連性の疑惑がかけられて、多くの実験が為（試）されましたが、「範疇違い」となる為、本文から削除され、別（発明、発見）案件で招介されるものとなります。それ故、この様に、人動物体と、共存、共生出来ない黴菌等では、須く、乾燥や、熱、寒さに強健となる胞子の形で、種の原形を保ち続け、本発明案件で、招介され続ける、悪玉性細菌、ヴィールス等に観られる者達は、人動物体温が維持する、３６℃以上、４３℃未満の温（熱）湯を、之れに掛けさせ続け（若しくは、触れさせ続け）ると、黴菌、ヴィールス等は、死滅する事が確認された時、之れを、「殺菌」行為と呼ばれる際、これらの黴菌等が、宿主（ホスト）の細胞に、消化酵素として、吹きかけ続ける、毒素が（温湯等で、）簿められて、消えゆく事を、「消毒」（若しくは中和）させる行為と呼ぶ時、「国語辞典」の中にある、「消毒」の意味が更に分り易くなったが、後更に、細菌ヴィールスの性質が、よく説明されるに為する為、類例を得る際、主として、（冬期間、）人動物の呼吸器管支内の、体内温度が共通し、平均３５．５℃になっている、長き時間（ほぼ一瞬の時もある、）悪質な、（法定伝染性）インフルエンザ症を含む感冒が流行しているメカニズムが、本案件で解明されるものとなったが、それ故、ワクチンを事前接種を受けている人々でも、体温が３５．５℃以下の長き時間の続く時には、瞬時にしてでも、感冒他は、感染するものとなったが、その時には、体内に免疫抗体原の出来ている人々の気管支  及び、淋巴管（側）では、他に、燃え広がらない（囲炉裏の炎が如くの、）菌、ヴィールス等は、毒素を吐
2016047233.tif 000030
の時間帯と呼ばれる際には、自律神経で、全体温で感知されないので、体温計には、表われない、（部分、部分に於いて、（４０℃近く迄）発生する、高体温（之れを、潜在熱という。）が、躰中、いたる所に発生し続け、（悪性の、）菌、ヴィールスの毒素等は、患者（様）の体内を巡廻し続けているものとなる為、ワクチン接種を受けている人々であっても、全身がダルく感じられ、毒性の強い、菌、ヴィールス感染症が流行する際には、本案件に観られる、「温湯療法」は、効果的治療法にはなるものであったが、高体温（４０℃前後）を伴う、感染症患者（様）等では、背筋に、ゾクゾクする、寒気が発生する者が多くなる類例が多い為、本案件に診られ温湯の中に入っている患者（様）では、湯舟の中の湯熱は、感じられなくなっている事も多い事が詳細される他、体温の平均３６．５℃以上の温湯を、本発明、低温殺菌ウガイ湯ポット（Ｔ．６７７）から取り出し、（Ｔ．６８０号式）附帯コップに温湯を取り、ウガイ湯に用いると、特に、（ジフテリア等）感染症に診られるものでは、入浴時の温湯に入り、座り、（若しくは、立ち姿勢）で、この塩水を少し混ぜた、温湯を患者（様）の鼻から、温湯を吸い込ませて、口からウガイ湯を吐き出させる方法を、「本当のウガイ方法」というが、速効性が診られる他、マラリア等でも、効能性が診られる、ウガイ湯を入れた、Ｔ．６８０号式附帯コップを示す。（＊注、寝姿勢で、鼻から湯を入れて、口から湯を出す、ウガイ湯方法は、気管支に、温湯が入り易いので、絶対してはならず、コップ内温湯には、少しの塩や、硼酸を入れて、立ち姿勢で、ウガイをすると、ツーンとする痛みも無く、「本当のウガイ」の意味が分り易くなった。
【手続補正２】
【補正対象書類名】図面
【補正対象項目名】全図
【補正方法】変更
【補正の内容】
【図１】
2016047233.tif 000031
【図２】
2016047233.tif 000032
【図３】
2016047233.tif 000033
【手続補正書】
【提出日】平成27年6月29日(2015.6.29)
【手続補正１】
【補正対象書類名】明細書
【補正対象項目名】００５４
【補正方法】変更
【補正の内容】
【００５４】１．低湯殺菌、ウガイ湯入れポット（Ｔ．６７７）の正面図。２．低温殺菌ウガイ湯入れポット（Ｔ．６７７）の側面図。３．低温ウガイ湯入れポット（Ｔ．６７７）の内に汲み置く事の出来る温湯は、最初の５分間は、Ａボタン（若しくは、ダイヤル）により、８０℃以上の温（熱）湯を提供（供給）できて、４．その後に、６０℃未満の温湯に設定出来る様にする、Ｂボタン（若しくは、ダイヤル）が設けられている事を示し、５．そして、その後に、更に、４３℃以上の温湯を必要とする際、Ｃボタン（若しくは、ダイヤル）を設定する事で、温湯熱が、３段回をして、自在に選べる、ボタン、（若しくは、ダイヤル）を図示。６．ポット内、汲み置き温湯を、それぞれに、図示される温湯に保たたせる、家庭用エネルギー電源を用いる、電気コードを示す図となり、７．家庭用電源の無い場合は、ポットの底部に、バッテリー（電池）を入れる事が出来、８．低温殺菌ウガイ湯入れポット（Ｔ．６７７）と、同様の（機能）効果を持たせ、（三段階）必要温湯を得る事が出来る、「携帯用低温殺菌ウガイ湯入れポット（Ｔ．６７８）」の側面図。９．歯ブラシ（Ｔ．６５８）図。１０．磁石付乾燥自在歯ブラシ収納ケース（Ｔ．６７９）  １１．乾燥自在収納ケース（Ｔ．６７９）の底部に磁石が付いている事を表わす図。１２．磁石付歯磨コップ乾燥自在コップ入れ収納ポケット（Ｔ．６８０）  １３．歯磨きチューブ図、１４．歯磨コップ図。１５．ポットの側面の一部に、磁石の吸い付き易いステンレス貼付けポット（Ｔ．６８１）をする、ステンレス部分を表わす図。１６．凹凸器付歯ブラシ自然乾燥収納ケース（Ｔ．６８２）  １７．凹凸器付歯磨チューブ自然乾燥収納ケース（Ｔ．６８３）  １８．凹凸器付歯磨コップ自然乾燥収納ケース（Ｔ．６８４）  １９．凹凸器具を用い、スライドさせて、本発明附属品の取り付け外しや、自然乾燥が自在に出来る事、本発明品容器や、之れに伴う、歯磨道具類を用いて、歯磨き道具を便利にする、凹凸器具を示す図。２０．凹凸器具をスライド式で用いる他、パッチンと音を立てる様にして、本発明品の、自然乾燥が出来て、取り付け外しが自在に出来る、本発明（発見）品湯や、歯磨道具器の取り扱いを便利にする事の出来る、スライド装置を示す図。２１．（一応）８０℃から、４３℃未満の低温火傷を起こしづらい湯をポットに提供する蛇口。２２．４０℃から４３℃くらい迄の温湯（温度）を確認出来る、温度計（若しくは、デジタルセンサー）  ２３．ポット内の、温湯の残量を覗き見出来る窓。２４．義歯を人の口内から取り出し図示。２５．最初の５分間は、８０℃以上の温（熱）湯を提供（供給）でき、その後には、最低基低温度を６０℃から、若しくは、４３℃未満迄、引き下げる事の出来る、温（熱）湯を表わす図となり、２６．人が使用して（後）取り外した義歯や、歯ブラシを、この発明される温湯の中に漬け込んで殺菌、消毒する事が出来る事を、矢印で示し、２７．本発明、「義歯温湯殺菌消毒湯沸し器（Ｔ．６８５）」には、蓋が、蝶番によって付けられている事を図に示し、２８．その蓋には、歯ブラシのブラシ部分を逆さにして、突っ込で、温（熱）湯で、歯ブラシを殺菌、消毒出来る事が出来る穴が開けられている事を示す図を示すが、２９．この状態（図）は、矢立て状態となり、この上に、（御）老人が誤って転倒する事があった場合、突き刺さりの危険が生ずる物となるので、この歯ブラシの上に、転倒者があっても、急速に歯ブラシが縮少する、Ｔ．６６３号式歯ブラシ（２０１４−３３４０３、２０１４−１８５６５６、２０１４−２１８６９８号式歯ブラシ参照。）を使用する事が理想となった。事を示す図。３０．本発明、「義歯温湯殺菌消毒湯沸し器（Ｔ．６８５）内にある、温湯は、家庭用電源から、電力を得て、発熱を得る物から、３１．携帯用に為す、バッテリーから、発熱（電力）を得る事が出来る事を示す図。３２．「義歯温湯殺菌消毒温沸器（Ｔ．６８５）」内の温湯温度高を知らせる温度計。３３．Ａボタン（このボタンを押すと、「義歯温湯殺菌消毒温沸器（Ｔ．６８５）」内の温湯が５分間上昇して後、５分後に、８０℃から４３℃未満迄、引き下げる事の出来る、）装置を表わし、３４．Ｂボタン（このボタンを押すと、「義歯温湯殺菌消毒湯沸し器（Ｔ．６８５）」内にある、温（熱）湯が４０℃以内で維持出来る事を示す）装置。３５．Ｃボタン（このボタンを押すと、「義歯温湯殺菌消毒湯沸し器（Ｔ．６８５）内にある温湯熱が４０℃以上、４３℃未満で、維持出来る事を示す）装置を表わしている図を示す物となっているが、３人、（３組）の義歯を用い、食後、義歯を取り外し、この様に、造られる温湯の中に、義歯を入れてもらう、（１０年間）この実験をした結果、義歯は無菌状態を続ける物となり、この温湯による、義歯の（熱疲労）被害も観られない物となった。３６．病院（浴）平均室内温度を３６．５℃以上に、必ず保温できる、（病院室内構成壁間隙内に、氷点以下の冷気が空調されているので、蒸し熱さは感じない。）様に空調が整えられている事を示す図となり、一昔前には、治療しづらいと、考えられていた、本発明案件に見られる、（法定）伝染疾病患者（様）が、之れらの疾病症治療に、臨もうとする際、理想とする、病院（小屋、若しくは、個室）等をする、建造物
2016047233.tif 000034
位から、上部位へと、（図面上、分り易い様に、空調、冷気を下部位から、上部位へと矢印の方向へ誘導して、吹き上げさせる様に示しているが、上部位から、空調冷気を吹き降す事が理想となる。）吹き上げさせる、之の様にして、（隔離室の、）壁自体を、０℃（以下）になる物として、壁自体を、０℃（以下）になる物として、（故意にして）造り、３９．入浴室を、Ａ室と呼び、４０．之の浴室内にある浴槽には、４０℃以上、４３℃迄を、大概の限界温度とする、温湯を準備し、患者（様）が退屈しない様に、４１．ＴＶ、ビデオや、４２．（必要ならば、）サウナ装置を備え付けた図を示し、４３．Ａ室の室内温度は３６．５℃以上、４３℃位の空調設備を確保する事を理想として造り、この室内にある温湯の中に、湯中（ゆあたり）しない様に、この患者（様）に何度も入ってもらい、４４．患者（様）に於いて、休憩したい、と望まれる際には、温湯（浴室）から出たら、ドア一つ設けて、経てた隣室と繋がるものとして、４５．ドア１つ経てた隣室には、平均温度３６．５℃を理想として、室内温度を空調出来る、休憩室をＢ室と呼び、休憩出来る、Ｂ棟室内に入って、休憩する患者（様）の体温を絶対に降下させない様に配慮すべく、必要なら、（綿入、ダウンジャケット、ヤッケ、若しくは、それら、）防寒着を着させ、４６．用意されるコタツの中に入ってもらい、患者（様）が退屈しない様に、新聞、雑誌や、４７．マージャン、将棋、碁、他、ゲーム他等を取り備えたり、４８．書籍（箱）や、４９．休憩出来る、布団付ベッドが示される図となるが、Ｂ棟室内では、うたた寝を厳禁とする、防寒着等の配慮が必要とする事を図に示し、５０．Ｂ棟室と、Ｃ棟室は、（透明図に見えるが、）断熱材を以って仕切り壁としている事を示し、５１．ＴＶや、５２．ビデオ、５３．鏡、クローゼットを設けた、就寝（ベッド付）専用の部室をＣ棟室と呼び、ドア等を設けて経てた隣室には、平均室内温度を３６．５℃以上を理想（壁、間隙には、氷点下冷気で冷しているので蒸し熱さは無い。）として、空調できる寝室として造り、（図示されては、いないが、寝台連車をイメージされたく、）之れら、Ａ棟室、Ｂ棟室、Ｃ棟室等を細い廊下
2016047233.tif 000035
方を示す図。５４．一連の機能を持つ、Ａ棟室、Ｂ棟室、Ｃ棟室の各部室の室内温度が平均３６．５℃以上を示す温度計。５５．そして、之の様にして造られる病院（小屋、若しくは、個室の）の上に覆せる、蓋（状）板は、やはり、（二重の、）断熱素材を用いて、上から、之れに被せて、壁間隙の間隙の間に下から上へと発射される冷気を上部に逃がさない様に、蓋を示す事を示す図。５６．余談だが、「お茶」の出涸しには、殺菌効果がある事を示した図。５７．歯ブラシ（ブラシ）の根元に、歯磨粉の垢が（乾燥して、）附着する際には、ここには、歯周病源菌等の胞子が貯り易く、感染（症）の一因となっている事を示す図。５８．之の様に、現代医学で、治療が困難なる、全身に転移する、（悪性）腫瘍疾病患者（様）に、同様にして、湯治療法の、定理（定義）に従って、之の温湯治療法室に、入室（若しくは、入浴）し続けると、癌ウイルスは、全（死）滅するものとなる事を示す。５９．歯磨き（ブラッシング）を終えた後に、邪馬になる、「（Ｔ．６６３号式）歯ブラシ自体」の尾部には、凸器物（若しくは、磁石）が取り付けられている図が示されており、６０．スライドさせるか、パッチンと音を立てて、邪馬になる、「歯ブラシ自体（Ｔ．６８５号式）ポットの蓋（若しくは、）側面部に取り付けられている、凹器図（他、磁石）とに示される、連結器等を用いて、歯ブラシ（Ｔ．６６３号）と、温湯ポット（Ｔ．６８５）器機とに、連絡を取らせ、必要、不必要に合わせて、乾燥を良くし、取り付け外しが自在に出来、歯磨きを便利にする、６１．歯ブラシ（Ｔ．６６３号）を、６２．温湯ポット（Ｔ．６８５）器機に取り付け、歯磨きを便利にする、ポット図。６３．凹器物の間に、（黒く塗られた部分、）磁石が入っている事を示し、６４．歯ブラシの凸器物の先に、磁石が付いている事を示す図となるが  ６５．歯磨き（ブラッシング）を終えた、終期（的）には、塩素（他、義歯、ブラシ洗浄剤）等を用いて、「温湯ポット（Ｔ．６８５）」の蓋部に開けられた穴から、歯ブラシ（Ｔ．６６３号）のブラシ部分を突っ込んで歯ブラシを洗浄する事が出来る事を示す図。６６．筆者が、まだ、中学生の頃の事だった。学校に登行して来る（女の）子の内で、急に髪の毛が禿げ出した時、顔の可愛らしい子であったばかりに、余計に、それが惨めに見へ、可哀想に思われている間も無く、髪の毛は、全て抜け落ちて無くなり、顔が崩れ始めた時には、中学校の先生によって、説明される、「……あの子は、感染性の殆ど無い、軽い皮膚病にかかっている為に、髪の毛が抜けている。」と、言うだけの言葉だけでは、通らなくなった。ひどい噂話しが飛び交う中、友達の全ては、その子から離れてしまい、遂に、その子は、学校に通学出来なくなってしまっていた。これは、筆者が、生まれて始めて見た
2016047233.tif 000036
ろか！」と、考えたが、当時の医師の説明では、カツラ等を被らないで、禿げた頭皮を日光に照射させ続けた方が良い。」と言う、冷淡な、診察、診断で終っていた。  ――筆者は、その後、大人になっており、感染疾病症
2016047233.tif 000037
患者（様）には、本発明案件（論証済み）の、日本の古来から伝わる、湯治療法の定理（定義）に従って、温中しない様にする、４０℃〜４３℃を限界とする、浴槽の中に入浴してもらう、毎回、１０分間から、１５分間にある、その時間帯には、同じ温（熱）湯を入れた、ビニール袋（や、タオルを含む）を用意し、直接、温湯に浸しづらい、患者（様）の顔面部分や、頭皮部分にある、患部に之れらを当て続けると、顔面部分や、頭皮部分に出来た、感染（症）菌は、すぐに、死滅させ続ける事が出来る、同温度の温湯の入ったビニール袋（若しくは、タオル）を示す図を示す。６７．蠅、蚊、ノミ、シラミ、ダニ等による、害虫や、鼠等による、（害）動物を楳介する、種類の多い、法定伝染菌（ウィルス）症に観られるものの内、狂犬病（狂水病、）ジステンパーの他、ジフテリア、マラリア他、多くの、（人体動物実験による、）本（発明）案件、温（熱）湯療法で自然治癒する報告があるので、本発明案件で、成功例にあるものとして、示される中、遺伝性筋ジストロフィーや、寄生虫による、フィラリア、ジストマ症者等にも、関連性の疑惑がかけられて、多くの実験が為（試）されましたが、「範疇違い」となる為、本文から削除され、別（発明、発見）案件で招介されるものとなります。それ故、この様に、人動物体と、共存、共生出来ない黴菌等では、須く、乾燥や、熱、寒さに強健となる胞子の形で、種の原形を保ち続け、本発明案件で、招介され続ける、悪玉性細菌、ヴィールス等に観られる者達は、人動物体温が維持する、３６℃以上、４３℃未満の温（熱）湯を、之れに掛けさせ続け（若しくは、触れさせ続け）ると、黴菌、ヴィールス等は、死滅する事が確認された時、之れを、「殺菌」行為と呼ばれる際、これらの黴菌等が、宿主（ホスト）の細胞に、消化酵素として、吹きかけ続ける、毒素が（温湯等で、）簿められて、消えゆく事を、「消毒」（若しくは中和）させる行為と呼ぶ時、「国語辞典」の中にある、「消毒」の意味が更に分り易くなったが、後更に、細菌ヴィールスの性質が、よく説明されるに為する為、類例を得る際、主として、（冬期間、）人動物の呼吸器管支内の、体内温度が共通し、平均３５．５℃になっている、長き時間（ほぼ一瞬の時もある、）悪質な、（法定伝染性）インフルエンザ症を含む感冒が流行しているメカニズムが、本案件で解明されるものとなったが、それ故、ワクチンを事前接種を受けている人々でも、体温が３５．５℃以下の長き時間の続く時には、瞬時にしてでも、感冒他は、感染するものとなったが、その時には、体内に、免疫抗体原の出来ている人々の気管支、及び、淋巴管（側）では、他に、燃え広がらない（囲炉裏の炎が如くの、）菌、ヴィールス等は、毒素を吐
2016047233.tif 000038
の時間帯と呼ばれる際には、自律神経で、全体温で感知されないので、体温計には、表われない、（部分、部分に於いて、（４０℃近く迄）発生する、高体温（之れを、潜在熱という。）が躰中、いたる所に発生し続け、（悪性の、）菌、ヴィールスの毒素等は、患者（様）の体内を巡回し続けているものとなる為、ワクチン接種を受けている人々であっても、全身がダルく感じられ、毒性の強い、菌、ヴィールス感染症が流行する際には、本案件に観られる「温湯療法」は、効果的治療法にはなるものであったが、高体温（４０℃前後）を伴う、感染症患者（様）等では、背筋に、ゾクゾクする、寒気が発生する者が多くなる類例が多い為、本案件に診られ温湯の中に入っている患者（様）では、湯舟の中の湯熱は、感じられなくなっている事も多い事が詳細される他、体温の平均３６．５℃以上の温湯を、本発明、低温殺菌ウガイ湯ポット（Ｔ．６７７）から取り出し、（Ｔ．６８０号式）附帯コップに温湯を取り、ウガイ湯に用いると、特に、（ジフテリア等）感染症に診られるものでは、入浴時の温湯に入り、座り、（若しくは、立ち姿勢、）で、温湯を患者（様）の鼻から、温湯を吸い込ませて、口からウガイ湯を吐き出させる方法を、「本当の、ウガイ方法」というが、速効性が診られる他、マラリア等でも、効能性が診られる、ウガイ湯を入れた：Ｔ．６８０号式附帯コップを示す。（＊注、寝姿勢で、鼻から湯を入れて、口から湯を出すウガイ湯方法は、気管支に、温湯が入り易いので、絶対してはならず、コップ内温湯は、立ち姿性でウガイをする時、「本当のウガイ」の意味が分り易くなった。